(57)【要約】【課題】より使い易くできる制御装置及び電動家具を提供する。【解決手段】実施形態によれば、制御装置は、第１受付部及び第２受付部を含み、対象装置を制御可能である。第１受付部が第１操作を受け付ける前の第１動作状態のときに制御装置は第１モードであり、第１受付部が第１操作を受け付けると制御装置は第２モードに移行する。第２受付部は、第１動作状態において、第１光学状態である。第２モード中に第２受付部が第２操作を受け付ける前の第２動作状態において、第２受付部は、第２光学状態である。第２モード中に第２受付部が第２操作を受け付けた第３動作状態において、第２受付部は第３光学状態である。前記第２光学状態は、前記第１光学状態とは異なる。前記第３光学状態は、前記第２光学状態とは異なり、前記第３光学状態とは異なる。【選択図】図１
2019181067.tif 000002
【特許請求の範囲】
【請求項１】
第１受付部及び第２受付部を備え、対象装置を制御可能な制御装置であって、
前記第１受付部が第１操作を受け付ける前の第１動作状態のときに前記制御装置は第１モードであり、前記第１受付部が前記第１操作を受け付けると前記制御装置は第２モードに移行し、
前記第２受付部は、前記第１動作状態において、第１光学状態であり、
前記第２モード中に前記第２受付部が第２操作を受け付ける前の第２動作状態において、前記第２受付部は、第２光学状態であり、
前記第２モード中に前記第２受付部が前記第２操作を受け付けた第３動作状態において、前記第２受付部は第３光学状態であり、
前記第２光学状態は、前記第１光学状態の第１明るさよりも明るい第２明るさ、及び、前記第１光学状態の第１色とは異なる第２色の少なくともいずれかを有し、
前記第３光学状態は、前記第２明るさよりも明るい第３明るさ、及び、前記第１色とは異なり前記第２色とは異なる第３色の少なくともいずれかを有する、制御装置。
【請求項２】
前記第１モードにおいて、前記制御装置は、動作モードであり、
前記第２モードにおいて、前記制御装置は、前記対象装置の動作に関する条件設定モードであり、
前記第３動作状態において、前記制御装置は、前記動作条件を受け付け可能である、請求項１記載の制御装置。
【請求項３】
第３受付部をさらに備え、
前記第１動作状態及び前記第２動作状態において、前記第３受付部は、第４光学状態であり、
前記第３動作状態中に前記第３受付部が第３操作を受け付ける前の第４動作状態において、前記第３受付部は第５光学状態であり、
前記第３動作状態中に前記第３受付部が前記第３操作を受け付けた第５動作状態において、前記第３受付部は前記第６光学状態であり、
前記第５光学状態は、前記第４光学状態の第４明るさよりも明るい第５明るさ、及び、前記第４光学状態の第４色とは異なる第５色の少なくともいずれかを有し、
前記第６光学状態は、前記第５明るさよりも明るい第６明るさ、及び、前記第４色とは異なり前記第５色とは異なる第６色の少なくともいずれかを有する、請求項１または２に記載の制御装置。
【請求項４】
第４受付部をさらに備え、
前記第１動作状態及び前記第２動作状態において、前記第４受付部は、第７光学状態であり、
前記第３動作状態中に前記第４受付部が第４操作を受け付ける前の第６動作状態において、前記第４受付部は、前記第８光学状態であり、
前記第３動作状態中に前記第４受付部が前記第４操作を受け付けた第７動作状態において、前記第４受付部は、前記第９光学状態であり、
前記第８光学状態は、前記第７光学状態の第７明るさよりも明るい第８明るさ、及び、前記第７光学状態の第７色とは異なる第８色の少なくともいずれかを有し、
前記第９光学状態は、前記第８明るさよりも明るい第９明るさ、及び、前記第７色とは異なり前記第８色とは異なる第９色の少なくともいずれかを有する、請求項３記載の制御装置。
【請求項５】
前記第３受付部が前記第５光学状態のときに、前記第４受付部は前記第９光学状態であり、
前記第３受付部が前記第６光学状態のときに、前記第４受付部は前記第８光学状態である、請求項４記載の制御装置。
【請求項６】
第１受付部及び第２受付部を備え、対象装置を制御可能な制御装置であって、
前記第１受付部が第１操作を受け付ける前の第１動作状態のときに前記制御装置は第１モードであり、前記第１受付部が前記第１操作を受け付けると前記制御装置は第２モードに移行し、
前記第２受付部は、前記第１動作状態において、第１光学状態であり、
前記第２モード中に前記第２受付部が第２操作を受け付けると、前記第２受付部は、第２光学状態または第３光学状態に切り替わり、
前記第２光学状態は、前記第１光学状態の第１明るさよりも明るい第２明るさ、及び、前記第１光学状態の第１色とは異なる第２色の少なくともいずれかを有し、
前記第３光学状態は、前記第２明るさとは異なる第３明るさ、及び、前記第１色とは異なり前記第２色とは異なる第３色の少なくともいずれかを有する、制御装置。
【請求項７】
前記第２受付部が前記第２操作を受け付けると前記対象装置の第１動作のＯＮ／ＯＦＦが切り替わり、
前記第１動作状態において前記第１動作がＯＦＦであり、前記第２モード中に前記第２受付部が前記第２操作を受け付ける前は、前記第２受付部は前記第２光学状態であり、
前記第１動作状態において前記第１動作がＯＮであり、前記第２モード中に前記第２受付部が前記第２操作を受け付ける前は、前記第２受付部は前記第３光学状態である、請求項６記載の制御装置。
【請求項８】
前記第１モードから前記第２モードへの移行時、前記第２動作状態から前記第３動作状態への移行時、及び、電源のＯＮ時の少なくともいずれかにおいて、前記第２受付部はキャリブレーションされる、請求項１〜７のいずれか１つに記載の制御装置。
【請求項９】
第１受付部及び第２受付部を備え、対象装置を制御可能な制御装置であって、
前記第１受付部が第１操作を受け付ける前の第１動作状態のときに前記制御装置は第１モードであり、前記第１受付部が前記第１操作を受け付けると前記制御装置は第２モードに移行し、
前記第２受付部は、前記第１動作状態において、第１光学状態であり、
前記第２モード中に前記第２受付部が第２操作を受け付ける前の第２動作状態において、前記第２受付部は、第２光学状態であり、
前記第２モード中に前記第２受付部が前記第２操作を受け付けた第３動作状態において、前記第２受付部は第３光学状態であり、
前記第２光学状態は、前記第１光学状態とは異なり、
前記第３光学状態は、前記第１光学状態とは異なり、前記第２光学状態とは異なる、制御装置。
【請求項１０】
前記第２光学状態及び前記第３光学状態の一方は、点滅であり、
前記第２光学状態及び前記第３光学状態の他方は、前記第１光学状態の第１明るさよりも明るい第２明るさ、及び、前記第１光学状態の第１色とは異なる第２色の少なくともいずれかを有する、請求項９記載の制御装置。
【請求項１１】
前記第２受付部は、第１電極、第２電極及び発光素子を含み、
前記第２操作は、前記第１電極及び前記第２電極により受け付けられ、
前記第１〜第３明るさは前記発光素子から放出される光量により変更される、請求項１〜１０のいずれか１つに記載の制御装置。
【請求項１２】
板部をさらに含み、
前記板部は、前記第２受付部と重なる部分を含み、
前記部分の第１領域の光透過率は、前記部分の第２領域の光透過率とは異なる、請求項１１記載の制御装置。
【請求項１３】
請求項１〜１２のいずれか１つに記載の制御装置と、
前記対象装置と、
を備えた電動家具。
【発明の詳細な説明】
【技術分野】
【０００１】
本発明の実施形態は、制御装置及び電動家具に関する。
【背景技術】
【０００２】
例えば、電動家具（例えば、電動ベッドまたは電動椅子など）には、マットレスやセンサなどの種々の装置が設けられる。種々の装置の操作が、手元スイッチなどの制御装置（例えばリモートコントローラ）により制御される。このような制御装置において、使いやすさの向上が望まれる。
【先行技術文献】
【特許文献】
【０００３】
【特許文献１】国際公開ＷＯ２０１４／０４５５８８号
【発明の概要】
【発明が解決しようとする課題】
【０００４】
本発明の実施形態は、より使い易くできる制御装置及び電動家具を提供する。
【課題を解決するための手段】
【０００５】
実施形態によれば、制御装置は、第１受付部及び第２受付部を含み、対象装置を制御可能である。前記第１受付部が第１操作を受け付ける前の第１動作状態のときに前記制御装置は第１モードであり、前記第１受付部が前記第１操作を受け付けると前記制御装置は第２モードに移行する。前記第２受付部は、前記第１動作状態において、第１光学状態である。前記第２モード中に前記第２受付部が第２操作を受け付ける前の第２動作状態において、前記第２受付部は、第２光学状態である。前記第２モード中に前記第２受付部が前記第２操作を受け付けた第３動作状態において、前記第２受付部は第３光学状態である。前記第２光学状態は、前記第１光学状態の第１明るさよりも明るい第２明るさ、及び、前記第１光学状態の第１色とは異なる第２色の少なくともいずれかを有する。前記第３光学状態は、前記第２明るさよりも明るい第３明るさ、及び、前記第１色とは異なり前記第２色とは異なる第３色の少なくともいずれかを有する。
【発明の効果】
【０００６】
本発明の実施形態は、より使い易くできる制御装置及び電動家具を提供できる。
【図面の簡単な説明】
【０００７】
【図１】図１（ａ）〜図１（ｃ）は、第１実施形態に係る制御装置及び電動家具を例示する模式的斜視図である。
【図２】図２（ａ）及び図２（ｂ）は、第１実施形態に係る制御装置を例示する模式図である。
【図３】図３（ａ）及び図３（ｂ）は、第１実施形態に係る制御装置を例示する模式図である。
【図４】図４は、第１実施形態に係る制御装置の動作を例示するフローチャート図である。
【図５】図５（ａ）〜図５（ｃ）は、第１実施形態に係る制御装置の動作を例示する模式図である。
【図６】図６（ａ）〜図６（ｆ）は、第１実施形態に係る制御装置の動作を例示する模式図である。
【図７】図７は、第１実施形態に係る制御装置の動作を例示する模式図である。
【図８】図８（ａ）〜図８（ｄ）は、第１実施形態に係る制御装置の動作を例示する模式図である。
【図９】図９は、第１実施形態に係る制御装置の動作を例示するフローチャート図である。
【図１０】図１０（ａ）及び図１０（ｂ）は、第１実施形態に係る制御装置の動作を例示する模式図である。
【図１１】図１１（ａ）及び図１１（ｂ）は、第１実施形態に係る制御装置の動作を例示する模式図である。
【図１２】図１２（ａ）及び図１２（ｂ）は、第１実施形態に係る制御装置の動作を例示する模式図である。
【図１３】図１３（ａ）及び図１３（ｂ）は、第１実施形態に係る制御装置の動作を例示する模式図である。
【図１４】図１４（ａ）〜図１４（ｃ）は、第１実施形態に係る制御装置の動作を例示する模式図である。
【図１５】図１５は、第１実施形態に係る制御装置の動作を例示する模式図である。
【図１６】図１６（ａ）及び図１６（ｂ）は、第２実施形態に係る制御装置及び電動家具を例示する模式的斜視図である。
【図１７】図１７（ａ）〜図１７（ｃ）は、第２実施形態に係る制御装置及び電動家具を例示する模式図である。
【図１８】図１８（ａ）及び図１８（ｂ）は、第２実施形態に係る制御装置を例示する模式図である。
【図１９】図１９（ａ）〜図１９（ｅ）は、第２実施形態に係る制御装置の動作を例示する模式図である。
【図２０】図２０（ａ）〜図２０（ｃ）は、第２実施形態に係る制御装置の動作を例示する模式図である。
【図２１】図２１は、第２実施形態に係る制御装置の動作を例示する模式図である。
【発明を実施するための形態】
【０００８】
以下に、本発明の実施形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００９】
（第１実施形態）  
図１（ａ）〜図１（ｃ）は、第１実施形態に係る制御装置及び電動家具を例示する模式的斜視図である。  
図１（ａ）に示すように、第１実施形態に係る制御装置１１０は、マットレス７６と共に用いられる。実施形態に係る電動家具３１０は、例えば、制御装置１１０と、マットレス７６と、を含む。
【００１０】
マットレス７６は、例えば、電動マットレスである。この例では、マットレス７６は、エアマットレスである。マットレス７６は、エアマットレス部７６ａと、シート７６ｓ（例えば袋）と、を含む。シート７６ｓの中に、エアマットレス部７６ａが設けられる。エアマットレス部７６ａは、複数のエアセル７６ｂを含む。複数のエアセル７６ｂには、ポンプユニット７６ｃからエアが供給される。エアの量に応じて、エアマットレス部７６ａの硬さまたは形状が変更可能である。
【００１１】
例えば、ポンプユニット７６ｃに、制御装置１１０が接続される。ポンプユニット７６ｃと制御装置１１０との接続は、有線または無線の任意の方法が用いられる。この例では、制御装置１１０は、ケーブル１５により、ポンプユニット７６ｃに接続される。
【００１２】
制御装置１１０の操作により、ポンプユニット７６ｃの動作が制御され、エアマットレス部７６ａの硬さまたは形状が制御できる。制御装置１１０は、例えば、電動家具３１０のリモートコントローラ（リモコン）である。マットレス７６は、制御装置１１０により制御される対象装置７６ｏの例である。
【００１３】
図１（ｂ）及び図１（ｃ）は、制御装置１１０を例示している。これらの図に示すように、制御装置１１０は、第１面１０ａ及び第２面１０ｂを含む。第２面１０ｂは、第１面１０ａの反対側の面である。第１面１０ａは、例えば、表側の面である。第２面１０ｂは、例えば、裏側の面である。
【００１４】
この例では、制御装置１１０は、裏側ボタン５０Ｂを含む。裏側ボタン５０Ｂは、第２面１０ｂに設けられる。裏側ボタン５０Ｂは、例えば、条件設定ボタンである。１つの例において、裏側ボタン５０Ｂは、後述する第１受付部５１として機能しても良い。裏側ボタン５０Ｂ（例えば、第１受付部５１）は、電動家具３１０の使用者（介護者も含む）などによる操作を受け付ける。
【００１５】
例えば、制御装置１１０（及び電動家具３１０）において、動作モードと、条件設定モードと、が設けられる。動作モードにおいて、マットレス７６が動作する。条件設定モードにおいては、マットレス７６の動作条件が設定可能になる。
【００１６】
例えば、動作条件の設定を変更するときに、裏側ボタン５０Ｂが操作される。裏側ボタン５０Ｂの操作（例えば、ボタンを押すこと）により、動作モードから条件設定モードに移行する。裏側ボタン５０Ｂを再度押すと、条件設定モードから動作モードに戻る。条件設定モードの頻度は、動作モードの頻度よりも低い。このため、裏側ボタン５０Ｂの使用頻度は、低い。例えば、裏側ボタン５０Ｂは、裏側の面（第２面１０ｂ）に設けられる。例えば、裏側ボタン５０Ｂにおける操作は、「ボタンを押す」ことなどの機械的な動作を含む事が好ましい。これにより、誤って、裏側ボタン５０Ｂの操作が行われることが抑制される。
【００１７】
この例では、制御装置１１０の側部（頂部）に、特定動作ボタン６８が設けられている。特定動作ボタン６８が操作されると、特定の動作が、所定の時間実施される。特定の動作の例については、後述する。例えば、動作モードにおいて、複数のエアセル７６ｂのかたさ（高さ）などを変化させることで、褥瘡などが抑制できる。例えば、マッサージ効果が得られる。
【００１８】
以下、動作モードの例について、説明する。この例では、動作モードにおいて、「かたさ自動運転」、及び、「かたさ手動運転」が設けられる。「かたさ自動運転」においては、使用者がマットレス７６に寝たときに加わる荷重に応じて、マットレス７６のかたさが自動で、設定される。「かたさ手動運転」では、マットレス７６のかたさが、操作者による操作により設定される。
【００１９】
例えば、マットレス７６における「圧」が切り替え可能でも良い。例えば、操作音の条件が変更可能でも良い。例えば、除湿の実施・不実施が切り替えられても良い。条件設定モードでは、これらの条件の設定が変更可能である。さらに、制御装置１１０が、幅（左右方向の長さ）が異なる複数種類のマットレス７６のいずれかと組み合わされて使用される場合がある。このような複数種類のマットレス７６に適合するように、対象装置７６ｏの動作条件（または制御装置１１０の動作条件）が切り替えられても良い。
【００２０】
実施形態においては、動作モードにおける第１面１０ａの表示及び操作は、シンプルにされる。一方、例えば、条件設定モードにおける第１面１０ａには、必要な表示及び必要な操作に対応する部分が、分かりやすく表示される。
【００２１】
以下、例として、条件設定モードで使用可能なボタン（操作の受付部）の例について説明する。第１面１０ａに設けられる「ボタン」は、例えば、「タッチ式」である。第１面１０ａに設けられる「ボタン」は、非接触の操作を受け付け可能でも良い。第１面１０ａに設けられる「ボタン」は、例えば、静電容量式である。「ボタン」は、例えば、感圧式でも良い。「ボタン」は、例えば、光学式でも良い。「ボタン」は、音波式（例えば超音波を含む）でも良い。
【００２２】
「ボタン」は、操作を受け付け可能でありつつ、「ボタン」の明るさ及び色の少なくともいずれかが変化可能でも良い。「ボタン」は、例えば、「操作表示部」として機能する。
【００２３】
図１（ｂ）に示す例では、第１面１０ａに、第１〜第１０操作表示部２１ａ〜２１ｊが設けられている。以下、これらの操作表示部２１ａ〜２１ｊの例について説明する。
【００２４】
図２（ａ）及び図２（ｂ）は、第１実施形態に係る制御装置を例示する模式図である。  第１〜第１０操作表示部２１ａ〜２１ｊの少なくともいずれかは、操作（例えば使用者などによる操作）を受け付け可能であり、表示が可能である。表示は、後述するように、例えば、ＯＮ状態、ＯＦＦ状態、及び、半ＯＮ状態を含む。図２（ａ）においては、表示における複数の状態が、図中の画像の状態で表示されている。
【００２５】
図２（ｂ）においては、操作表示部のパターンの例が示されている。図２（ｂ）は、例えば、操作表示部のそれぞれがＯＮ状態に対応する。図２（ｂ）に示すように、制御装置１１０において、板部３８が設けられる。板部３８は、例えば、「銘板」である。例えば、板部３８における光透過率の差により、表示パターンが形成される。光透過率の差は、例えば、板部３８に設けられる光吸収層（光減衰層）により制御できる。
【００２６】
第１〜第１０操作表示部２１ａ〜２１ｊが発光型の場合、例えば、ＯＮ状態及び半ＯＮ状態では、第１〜第１０操作表示部２１ａ〜２１ｊから光が放出される。ＯＮ状態における明るさは、半ＯＮ状態における明るさよりも明るい。ＯＦＦ状態では、第１〜第１０操作表示部２１ａ〜２１ｊから光が放出されない。または、ＯＦＦ状態における明るさは、半ＯＮ状態における明るさよりも暗い。
【００２７】
第１操作表示部２１ａは、例えば、マットレス７６の幅（動作条件の１つ）の設定が「８３幅」であることの表示が可能である。第１操作表示部２１ａは、例えば、マットレス７６の幅を「８３幅」に設定する操作を受け付け可能である。図２（ａ）の例では、第１操作表示部２１ａは、ＯＮ状態である。
【００２８】
第２操作表示部２１ｂは、例えば、マットレス７６の幅（動作条件の１つ）の設定が「９１幅」であることの表示が可能である。第２操作表示部２１ｂは、例えば、マットレス７６の幅を「９１幅」に設定する操作を受け付け可能である。図２（ａ）の例では、第２操作表示部２１ｂは、半ＯＮ状態である。この例では、「８３幅」が選択されると「９１幅」は、非選択となる。例えば、「９１幅」が選択されると「８３幅」は、非選択となる。「８３幅」が選択されると「９１幅」は、非選択となる。
【００２９】
第３操作表示部２１ｃは、例えば、「かたさ自動運転」（動作条件の１つ）が設定されていることの表示が可能である。第３操作表示部２１ｃは、例えば、動作条件の１つを「かたさ自動運転」に設定する操作を受け付け可能である。図２（ａ）の例では、第３操作表示部２１ｃは、ＯＮ状態である。
【００３０】
第４操作表示部２１ｄは、例えば、「圧切替」（動作条件の１つ）がＯＮに設定されていることの表示が可能である。第４操作表示部２１ｄは、例えば、「圧切替」をＯＮに設定する操作を受け付け可能である。第４操作表示部２１ｄにおける操作の受け付けにより、「圧切替」の設定が、ＯＮからＯＦＦへ、または、ＯＦＦからＯＮへ切り替わる。図２（ａ）の例では、第４操作表示部２１ｄは、ＯＮ状態である。
【００３１】
第５操作表示部２１ｅは、例えば、「操作音」（動作条件の１つ）がＯＮに設定されていることの表示が可能である。第５操作表示部２１ｅは、例えば、「操作音」をＯＮに設定する操作を受け付け可能である。第５操作表示部２１ｅにおける操作の受け付けにより、「操作音」の設定が、ＯＮからＯＦＦへ、または、ＯＦＦからＯＮへ切り替わる。図２（ａ）の例では、第５操作表示部２１ｅは、ＯＮ状態である。
【００３２】
第６操作表示部２１ｆは、例えば、「除湿」（動作条件の１つ）がＯＮに設定されていることの表示が可能である。第６操作表示部２１ｆは、例えば、「除湿」をＯＮに設定する操作を受け付け可能である。第６操作表示部２１ｆにおける操作の受け付けにより、「除湿」の設定が、ＯＮからＯＦＦへ、または、ＯＦＦからＯＮへ切り替わる。図２（ａ）の例では、第６操作表示部２１ｆは、半ＯＮ状態である。
【００３３】
第７操作表示部２１ｇは、例えば、「かたさ手動運転」（動作条件の１つ）が設定されていることの表示が可能である。第７操作表示部２１ｇは、例えば、動作条件の１つを「かたさ手動運転」に設定する操作を受け付け可能である。図２（ａ）の例では、第７操作表示部２１ｇは、半ＯＮ状態である。この例では、「かたさ手動運転」が選択されると「かたさ自動運転」は、非選択となる。「かたさ自動運転」が選択されると「かたさ手動運転」は、非選択となる。
【００３４】
第８操作表示部２１ｈは、例えば、「やわらかい」（動作条件の１つ）の設定が可能であることの表示が可能である。第８操作表示部２１ｈは、例えば、動作条件の１つを「やわらかい」に設定する操作を受け付け可能である。図２（ａ）の例では、第８操作表示部２１ｈは、半ＯＮ状態である。
【００３５】
第９操作表示部２１ｉは、例えば、「かたい」（動作条件の１つ）の設定が可能であることの表示が可能である。第９操作表示部２１ｉは、例えば、動作条件の１つを「かたい」に設定する操作を受け付け可能である。図２（ａ）の例では、第９操作表示部２１ｉは、半ＯＮ状態である。
【００３６】
第１０操作表示部２１ｊは、例えば、「準備中」（動作条件の１つ）であることの表示が可能である。第１０操作表示部２１ｊにおいて、例えば、マットレス７６を初期状態に向けて膨らませている動作中であることを示す「準備中」の表示が、点灯する。図２（ａ）の例では、第１０操作表示部２１ｊは、半ＯＮ状態である。１つの例においては、表示だけではなく、第１０操作表示部２１ｊは、例えば、操作を受け付け可能でも良い。
【００３７】
この例では、第１面１０ａに表示部２８が設けられている。表示部２８は、種々の情報を表示可能である。図２（ａ）の例では、特定動作ボタン６８が操作されたときの、特定動作の実施の残り時間が示されている。
【００３８】
この例では、第１面１０ａに表示部２１ｄＤ、２１ｅＤ及び２１ｆＤが設けられている。表示部２１ｄＤは、第４操作表示部２１ｄによる設定状態を表示する。例えば、「圧切替」がＯＮに設定されていると、表示部２１ｄＤがＯＮ状態となる。表示部２１ｅＤは、第５操作表示部２１ｅによる設定状態を表示する。例えば、「操作音」がＯＮに設定されていると、表示部２１ｅＤがＯＮ状態となる。表示部２１ｆＤは、第６操作表示部２１ｆによる設定状態を表示する。例えば、「除湿」がＯＮに設定されていると、表示部２１ｆＤがＯＮ状態となる。表示部２１ｄＤ、２１ｅＤ及び２１ｆＤは、例えば、対応する動作が設定されたとき、及び、動作モードにおいて表示可能である。
【００３９】
一方、第１〜第１０操作表示部２１ａ〜２１ｊの少なくとも一部は、動作モードにおいては、ＯＦＦ状態であり、表示が実質的に見えない。第１〜第１０操作表示部２１ａ〜２１ｊの少なくとも一部は、条件設定モードにおける状態に応じて表示（ＯＮ状態または半ＯＮ状態）が可能である。
【００４０】
図２（ｂ）の例では、操作表示部及び表示部などの説明のために、同時に表示（点灯）されない操作表示部または表示部なども、表示した場合として、描かれている。
【００４１】
以下の説明では、例として、第７操作表示部２１ｇ（「かたさ手動運転」）を第２受付部５２とする。そして、裏側ボタン５０Ｂ（図１（ｂ）参照）を第１受付部５１とする。第１受付部５１は、第１操作（この例では、裏側ボタン５０Ｂを押す動作）を受け付ける。
【００４２】
第２受付部５２は、第２操作を受け付け可能である。第２操作は、例えば、制御装置１１０の操作者による操作である。第２受付部５２の明るさは、変化可能である。例えば、第２受付部５２は、例えば、ＯＮ状態、ＯＦＦ状態、及び、半ＯＮ状態を含む。
【００４３】
図３（ａ）及び図３（ｂ）は、第１実施形態に係る制御装置を例示する模式図である。  図３（ａ）において、図を見やすくするために、板部３８が分離されて描かれている。図３（ｂ）は、図３（ａ）のＡ１−Ａ２線断面図である。この例では、第７操作表示部２１ｇの断面が示されている。他の操作表示部も、第７操作表示部２１ｇと同様の構造を有しても良い。
【００４４】
図３（ｂ）に示すように、第２受付部５２は、第１電極３１、第２電極３２及び発光素子３３を含む。例えば、基板３０ｓ（例えばプリント基板）の上に、第１電極３１、第２電極３２及び発光素子３３が設けられる。第１電極３１、第２電極３２及び発光素子３３の上方に、板部３８が設けられる。基板３０ｓと板部３８との間にスペーサ３５が設けられる。板部３８は、第１電極３１、第２電極３２及び発光素子３３から離れる。
【００４５】
第２受付部５２における第２操作は、第１電極３１及び第２電極３２により受け付けられる。第２受付部５２における第２操作は、例えば、第１電極３１及び第２電極３２の静電容量の変化に基づく。
【００４６】
例えば、第１電極３１及び第２電極３２は、検出回路３６に電気的に接続される。検出回路３６は、例えば、第１電極３１及び第２電極３２の静電容量の変化を検出する。検出結果は、制御回路３７に供給される。制御回路３７から制御信号ＣＳが出力される。制御信号ＣＳに基づいて、制御装置１１０における各種の動作条件の設定が行われる。
【００４７】
例えば、操作者の指などが、第１電極３１及び第２電極３２に近づくと、第１電極３１及び第２電極３２の静電容量が変化する。静電容量の変化により、操作（第２操作）が検出される。第２受付部５２は、例えば、タッチ式の操作部である。第２受付部５２は、例えば、非接触の操作部でも良い。
【００４８】
一方、第２受付部５２の明るさ（例えば、ＯＮ状態、ＯＦＦ状態、及び、半ＯＮ状態）は、発光素子３３から放出される光量（例えば明るさ）により変更できる。
【００４９】
発光素子３３から放出される光は、板部３８を通過することで、表示パターンとして認識される。板部３８は、第２受付部５２と「重なる部分」を含む（図３（ｂ）参照）。図３（ｂ）に示すように、この「重なる部分」は、第１領域ｒ１及び第２領域ｒ２を含む。第１領域ｒ１の光透過率は、第２領域ｒ２の光透過率とは異なる。第１領域ｒ１の光透過率は、第２領域ｒ２の光透過率よりも高い。これらの領域により、表示パターン（文字、図形及びピクトグラムなど）が形成できる。第１領域ｒ１及び第２領域ｒ２の少なくともいずれかは、制御装置１１０（または対象装置７６ｏの１つであるマットレス７６）の動作条件に関する情報を含む。
【００５０】
既に説明したように、第１受付部５１（裏側ボタン５０Ｂ：図１（ｂ）参照）の操作は、機械的な動作（強い力）を伴うことが好ましい。一方、第２受付部５２の操作においては、弱い力でも操作可能なことが好ましい。第１受付部５１においては、「ボタンを押す」動作により、操作が受け付けられる。このとき、第１受付部５１は、操作に伴い変形する。これに対して、第２受付部５２においては、指で軽く触れる動作により、操作が受け付けられる。このとき、第２受付部５２は、実質的に変化しない。
【００５１】
このように、第１操作を受け付けたときに、第１受付部５１は変形する。一方、第２操作を受け付けたときに第２受付部５２は実質的に変形しない。または、第２操作を受け付けたときの第２受付部５２の変形（変形量）は、第１操作を受け付けたときの第１受付部５１の変形（変形量）よりも小さい。
【００５２】
例えば、第２受付部５２における第２操作の受け付けにおいては、板部３８は、実質的に変形しなくても良い。
【００５３】
以下、制御装置１１０における種々の受付部（操作部）の動作の例について説明する。
【００５４】
図４は、第１実施形態に係る制御装置の動作を例示するフローチャート図である。  
図５（ａ）〜図５（ｃ）は、第１実施形態に係る制御装置の動作を例示する模式図である。  
図６（ａ）〜図６（ｆ）は、第１実施形態に係る制御装置の動作を例示する模式図である。  
図５（ａ）〜図５（ｃ）、及び、図６（ａ）〜図６（ｆ）は、制御装置１１０における表示の例（例えば、第１〜第１０操作表示部２１ａ〜２１ｊ及び表示部２８の状態）を示している。
【００５５】
既に説明したように、制御装置１１０は、第１受付部５１及び第２受付部５２を含む。制御装置１１０は、対象装置７６ｏ（この例では、マットレス７６）を制御可能である。この例では、制御装置１１０は、第３受付部５３及び第４受付部５４をさらに含む（図６（ｃ）など参照）。この例において、第１受付部５１は、裏側ボタン５０Ｂである。第２受付部５２は、第７操作表示部２１ｇである。第３受付部５３は、第８操作表示部２１ｈである。第４受付部５４は、第９操作表示部２１ｉである。この例では、第２受付部５２の第２操作の受け付けにより、マットレス７６の「かたさ」が手動で変更可能になる。「かたさ」の変更に、第３受付部５３及び第４受付部５４が用いられる。
【００５６】
制御装置１１０は、第１モードＭ１及び第２モードＭ２を有する（図４参照）。図４に示すように、第１受付部５１が第１操作を受け付ける前の第１動作状態Ｒ１のときに、制御装置１１０は第１モードＭ１である。第１受付部５１が第１操作を受け付けると、制御装置１１０は、第２モードＭ２に移行する。
【００５７】
例えば、第１モードＭ１において、制御装置１１０は、動作モードである。第２モードＭ２において、制御装置１１０は、対象装置７６ｏ（この例では、マットレス７６）の動作に関する条件設定モードである。
【００５８】
図５（ａ）に示すように、電源ＯＦＦの状態において、第１面１０ａには、表示が設けられない。
【００５９】
図４に示すように、電源ＯＦＦの状態（ステップＳ１０１）から、電源をＯＮにする（ステップＳ１０２）。図４に示すように、キャリブレーションが行われても良い（ステップＳ１０３）。これにより、より正確に操作動作が検出できる。例えば、第２受付部５２の操作により、板部３８が変形する場合などがある。例えば、キャリブレーションにより、変形によりシフトした特性が補正される。操作の検出が正確になる。キャリブレーションは、必要に応じて実施され、省略されても良い。
【００６０】
例えば、キャリブレーションが終了する（または、時間が経過すると）と、第１モードＭ１になる（ステップＳ１０４）。このとき、第１面１０ａは、図５（ａ）または図５（ｂ）に示す状態になる。図５（ｂ）は、「かたさ自動運転」が設定されているときの表示状態を例示している。図５（ｃ）は、「かたさ手動運転」が設定されているときの表示状態を例示している。
【００６１】
図５（ｂ）または図５（ｃ）に示す状態が、第１モードＭ１（例えば動作モード）に対応する。第１モードＭ１において、制御装置１１０は、第１動作状態Ｒ１である。第１動作状態Ｒ１は、第１受付部５１が第１操作を受け付ける前の状態である。
【００６２】
以下では、現在における運転モードが「かたさ自動運転」に設定されており、運転モードを「かたさ手動運転」に切り替える場合の動作の例を説明する。
【００６３】
第２受付部５２（第７操作表示部２１ｇ）は、第１動作状態Ｒ１において、第１光学状態Ｔ１である（ステップＳ１０５）。第１光学状態Ｔ１は、例えば、ＯＦＦ状態である。第３受付部５３（第８操作表示部２１ｈ）は、第１動作状態Ｒ１において、第４光学状態Ｔ４である。第４光学状態Ｔ４は、例えば、ＯＦＦ状態である。第４受付部５４（第９操作表示部２１ｉ）は、第１動作状態Ｒ１において、第７光学状態Ｔ７である。第７光学状態Ｔ７は、例えば、ＯＦＦ状態である。
【００６４】
図６（ａ）は、第１動作状態Ｒ１における第１面１０ａを例示している。第３操作表示部２１ｃ（「かたさ自動運転」）が、ＯＮ状態であり、他の操作表示部はＯＦＦ状態である。第２受付部５２、第３受付部５３及び第４受付部５４は、実質的に、見えない。
【００６５】
この状態において、第１受付部５１が第１操作を受け付けるかどうかが判断される（ステップＳ１０６）。第１受付部５１が第１操作を受け付けないときは、例えば、ステップＳ１０４またはステップＳ１０５またはステップＳ１０６に戻る。第１受付部５１が第１操作を受け付けたとき、第２モードＭ２に移行する（ステップＳ１１０）。既に説明したように、第２モードＭ２は、条件設定モードである。
【００６６】
必要に応じて、キャリブレーション（ステップＳ１１１）が行われても良い。ステップＳ１１１及びステップＳ１０３のいずれかが実施されても良い。
【００６７】
この後、第２受付部５２は、第２光学状態Ｔ２となる。第２光学状態Ｔ２は、例えば、半ＯＮ状態ＨＯＮである。例えば、第２モードＭ２中に第２受付部５２が第２操作を受け付ける前の状態を第２動作状態Ｒ２とする。第２動作状態Ｒ２において、第２受付部５２は、第２光学状態Ｔ２である。第２モードＭ２中に第２受付部５２が第２操作を受け付けたら第３動作状態Ｒ３に移行する。第３動作状態Ｒ３において、制御装置１１０は、動作条件（または動作条件の変更）を受け付け可能である。
【００６８】
例えば、第２受付部５２が第２操作を受け付けたかどうかが判断される（ステップＳ１３０）。第２受付部５２が第２操作を受け付けていないときは、例えば、ステップＳ１３０に戻る（第２動作状態Ｒ２）。例えば、第２受付部５２における第２操作の受付がないときに、時間ｔｍが、第１時間ｔ１（定められた時間）よりも短いと、ステップＳ１３０に戻る。例えば、第２受付部５２における第２操作の受付がない状態の時間ｔｍが、第１時間ｔ１を超えると、ステップＳ１０４（第１モードＭ１）に戻る。
【００６９】
一方、第２受付部５２が第２操作を受け付けたとき、第３動作状態Ｒ３に移行する。第２動作状態Ｒ２から第３第３動作状態Ｒ３への移行時に、キャリブレーションが行われても良い。
【００７０】
第３動作状態Ｒ３において、第２受付部５２（第７操作表示部２１ｇ）は、第３光学状態Ｔ３である（ステップＳ１３１）。第３光学状態Ｔ３は、例えば、ＯＮ状態である。
【００７１】
このように、第２受付部５２は、第１動作状態Ｒ１における第１光学状態Ｔ１、第２動作状態Ｒ２における第２光学状態Ｔ２、及び、第３動作状態Ｒ３における第３光学状態Ｔ３を有する。
【００７２】
例えば、第２光学状態Ｔ２は、第１光学状態Ｔ１とは異なる。第３光学状態Ｔ３は、第１光学状態Ｔ１とは異なり、第２光学状態Ｔ２とは異なる。１つの例において、第２光学状態Ｔ２は、第１光学状態Ｔ１の第１明るさよりも明るい第２明るさ、及び、第１光学状態Ｔ１の第１色とは異なる第２色の少なくともいずれかを有する。このとき、例えば、第３光学状態Ｔ３は、第２明るさよりも明るい第３明るさ、及び、第１色とは異なり第２色とは異なる第３色の少なくともいずれかを有する。
【００７３】
別の例において、点滅しても良い。例えば、第２光学状態Ｔ２及び第３光学状態Ｔ３の一方は、点滅である。第２光学状態Ｔ２及び第３光学状態Ｔ３の他方は、第１光学状態Ｔ１の第１明るさよりも明るい第２明るさ、及び、第１光学状態Ｔ１の第１色とは異なる第２色の少なくともいずれかを有する。
【００７４】
別の例において、第２光学状態Ｔ２及び第３光学状態Ｔ３が、点滅でも良い。第２光学状態Ｔ２における点滅の状態は、第３光学状態Ｔ３における点滅の状態とは異なる。
【００７５】
以下では、第２光学状態Ｔ２は、第１光学状態Ｔ１よりも明るく、第３光学状態Ｔ３は、第２明るさよりも明るい、とする。
【００７６】
第２受付部５２が操作を受け付け可能になる前の状態（第１動作状態Ｒ１）において、第２受付部５２は、第１光学状態Ｔ１である。第２受付部５２が操作を受け付け可能になる状態（第２動作状態Ｒ２）において、第２受付部５２は、第２光学状態Ｔ２である。第２受付部５２が操作を受け付けたら（第３動作状態Ｒ３）、第２受付部５２は、第３光学状態Ｔ３になる。
【００７７】
例えば、図６（ｂ）に示すように、第２動作状態Ｒ２においては、第２受付部５２は、第２光学状態Ｔ２（例えば半ＯＮ状態ＨＯＮ）である。この例では、運転モードの「現在の状態」が「かたさ自動運転」モードであるため、第３操作表示部２１ｃは、ＯＮ状態である。
【００７８】
図６（ｃ）に示すように、第２受付部５２が第２操作を受け付けたら（ステップＳ１３１）、第２受付部５２は、第３光学状態Ｔ３（例えば、ＯＮ状態）に移行する。
【００７９】
このような動作により、例えば、必要なときに第２受付部５２が認識できる。不要なときには、第２受付部５２は実質的に認識されない。そして、第２受付部５２による受け付けが可能になったことが、第２光学状態Ｔ２により分かりやすく表示される。さらに、第２受付部５２が操作されたことが、第３光学状態Ｔ３により分かりやすく表示される。
【００８０】
第２光学状態Ｔ２は、第１光学状態Ｔ１の第１明るさよりも明るい第２明るさ、及び、第１光学状態Ｔ１の第１色とは異なる第２色の少なくともいずれかを有する。第３光学状態Ｔ３は、第２明るさよりも明るい第３明るさ、及び、第１色とは異なり第２色とは異なる第３色の少なくともいずれかを有する。このように、第１〜第３光学状態の違いが、明るさまたは色に基づいても良い。
【００８１】
このように、実施形態においては、より使い易くできる制御装置及び電動家具を提供できる。
【００８２】
この例では、第２受付部５２の第２操作の受け付けにより、第３受付部５３及び第４受付部５４の機能が開始する。ステップＳ１３１に示すように、例えば、第３受付部５３及び第４受付部５４の操作により、マットレス７６の「かたさ」が手動で変更可能になる。例えば、第２受付部５２が第２操作を受け付けると、第３受付部５３（第８操作表示部２１ｈ）は、例えば、第５光学状態Ｔ５になる。第５光学状態Ｔ５は、例えば、半ＯＮ状態ＨＯＮである。このとき、第４受付部５４（第９操作表示部２１ｉ）は、第８光学状態Ｔ８になる。第８光学状態Ｔ８は、例えば、半ＯＮ状態ＨＯＮである（図６（ｃ）参照）。
【００８３】
ステップＳ１３１の後に、第３受付部５３が第３操作を受け付けたかどうかが判断される（ステップＳ１３２）。第３受付部５３が第３操作を受け付けら、第３受付部５３は、例えば、第６光学状態Ｔ５（例えば、ＯＮ状態）になり、第４受付部５４は、第８光学状態Ｔ８（半ＯＮ状態ＨＯＮ）になる（ステップＳ１３４）。
【００８４】
ステップＳ１３２において、第３受付部５３が第３操作を受け付けないときは、第４受付部５４が第４操作を受け付けたかどうかが判断される（ステップＳ１３３）。第３受付部５３が第３操作を受け付けないときは、ステップＳ１３２に戻る。第４受付部５４が第４操作を受け付けたら、第４受付部５４は、例えば、第９光学状態Ｔ９（例えば、ＯＮ状態）になり、第３受付部５３は、第５光学状態Ｔ５（半ＯＮ状態ＨＯＮ）になる（ステップＳ１３５）。
【００８５】
図６（ｄ）は、第３受付部５３が選択されたときの状態を例示している。図６（ｅ）は、第４受付部５４が選択されたときの状態を例示している。
【００８６】
このように、第３受付部５３及び第４受付部５４の一方が、選択される。選択された受付部が、例えば、ＯＮ状態となる。選択されない受付部が、例えば、半ＯＮ状態ＨＯＮとなる。
【００８７】
実施形態においては、第３受付部５３及び第４受付部５４の動作状態が分かり易く表示される。より使い易くできる制御装置及び電動家具を提供できる。
【００８８】
ステップＳ１３４の後に、第３受付部５３に対応する第１条件（この例では、「やわらかい」）が設定される（ステップＳ１４１）。一方、ステップＳ１３５においては、第４受付部５４に対応する第２条件（この例では、「かたい」）が設定される（ステップＳ１４２）。
【００８９】
そして、第１受付部５１が、再び第１操作を受け付けるかどうかが判断される（ステップＳ１５０）。第１受付部５１が、再び第１操作を受け付けたら、例えば、上記の設定が「確定」され、動作に反映される（ステップＳ１６０）。または、上記のステップＳ１４１またはステップＳ１４２により、「確定」されても良い。この後、例えば、ステップＳ１０４（第１モードＭ１）に戻る。例えば、条件設定モードから、動作モードに戻る。
【００９０】
ステップＳ１５０において、第１受付部５１が第１操作を受け付けない場合、例えば、ステップＳ１３１（設定変更可能状態）に戻る。または、経過時間が、しきい値時間を超えたら、例えば、ステップＳ１０４に戻っても良い。この場合、設定変更の操作は無効にされ、元の状態に戻っても良い。
【００９１】
上記のように、第３受付部５３は、第１動作状態Ｒ１及び第２動作状態Ｒ２において、第３受付部５３は、第４光学状態Ｔ４である（図４、図６（ａ）及び図６（ｂ）参照）。第３動作状態Ｒ３中に第３受付部５３が第３操作を受け付ける前の第４動作状態Ｒ４において、第３受付部５３は、第５光学状態Ｔ５である（図４、図６（ｃ）及び図６（ｅ）参照）。第３動作状態Ｒ３中に第３受付部５３が第３操作を受け付けた第５動作状態Ｒ５において、第３受付部５３は第６光学状態Ｔ６である（図４及び図６（ｄ）参照）。
【００９２】
第５光学状態Ｔ５は、第４光学状態Ｔ４の第４明るさよりも明るい第５明るさ、及び、第４光学状態Ｔ４の第４色とは異なる第５色の少なくともいずれかを有する。第６光学状態Ｔ６は、第５明るさよりも明るい第６明るさ、及び、第４色とは異なり第５色とは異なる第６色の少なくともいずれかを有する。
【００９３】
第４光学状態Ｔ４は、例えばＯＦＦ状態である。第５光学状態Ｔ５は、例えば、半ＯＮ状態ＨＯＮ状態である。第６光学状態Ｔ６は、例えば、ＯＮ状態である。
【００９４】
一方、第１動作状態Ｒ１及び第２動作状態Ｒ２において、第４受付部５４は、第７光学状態Ｔ７である（図４、図６（ａ）及び図６（ｂ）参照）。第３動作状態Ｒ３中に第４受付部５４が第４操作を受け付ける前の第６動作状態Ｒ６において、第４受付部５４は、第８光学状態Ｔ８である（図４、図６（ｃ）及び図６（ｄ）参照）。第３動作状態Ｒ３中に第４受付部５４が第４操作を受け付けた第７動作状態Ｒ７において、第４受付部５４は、第９光学状態Ｔ９である（図４及び図６（ｅ）参照）。
【００９５】
第８光学状態Ｔ８は、第７光学状態Ｔ７の第７明るさよりも明るい第８明るさ、及び、第７光学状態Ｔ７の第７色とは異なる第８色の少なくともいずれかを有する。第９光学状態Ｔ９は、第８明るさよりも明るい第９明るさ、及び、第７色とは異なり第８色とは異なる第９色の少なくともいずれかを有する。
【００９６】
第７光学状態Ｔ７は、例えばＯＦＦ状態である。第８光学状態Ｔ８は、例えば、半ＯＮ状態ＨＯＮである。第９光学状態Ｔ９は、例えば、ＯＮ状態である。
【００９７】
既に説明したように、上記の例において、第３受付部５３と第４受付部５４とは、相補関係にある。例えば、第３受付部５３が第５光学状態Ｔ５のときに、第４受付部５４は第９光学状態Ｔ９である。第３受付部５３が第６光学状態Ｔ６のときに、第４受付部５４は第８光学状態Ｔ８である。
【００９８】
例えば、第５動作状態Ｒ５において、動作条件は、第１条件に設定される（ステップＳ１４１）。第７動作状態Ｒ７において、動作条件は、第２条件に設定される（ステップＳ１４２）。例えば、第２条件（例えば、「かたい」）は、第１条件（例えば、「やわらかい」）とは、逆である。
【００９９】
この例では、「かたさ」が変更される。図６（ｃ）〜図６（ｆ）に示すように、表示部２８に、現在設定されている「かたさ」、または、受付部により変更しようとしている「かたさ」が表示されても良い。この例では、表示部２８に、「かたさ」の表示として、「４」または「５」の数字が表示されている。例えば、第３受付部５３または第４受付部５４の操作により、表示部２８の数字（「かたさ」の程度）が変化する。
【０１００】
例えば、上記の第１〜第９明るさは、発光素子３３（図３（ｂ）参照）から放出される光量により変更される。例えば、上記の第１〜第９色は、発光素子３３から放出される光の色（波長特性）により変更される。
【０１０１】
既に説明したように、ステップＳ１５０（及びステップＳ１６０）の後に、ステップＳ１０４（別の第１動作状態Ｒ１）に戻る（図４参照）。このとき、第２受付部５２は、ＯＮ状態（選択状態）になっても良い。例えば、図６（ｆ）に示す例では、ステップＳ１５０（及びステップＳ１６０）の後のステップＳ１０４（別の第１動作状態Ｒ１）において、第２受付部５２（「かたさ手動動作」）は、第３光学状態Ｔ３である。一方、第３操作表示部２１ｃは、ＯＦＦ状態となり、実質的に見えない。
【０１０２】
このように、実施形態において、第２モードＭ２において第１受付部５１（例えば裏側ボタン５０Ｂ）が別の第１操作を受け付けると、制御装置１１０は第１モードＭ１に移行する（戻る）。このとき、動作条件の設定が、対象装置７６ｏの動作に反映される。一方、例えば、第２モードＭ２において、操作表示部の操作がないままに、第１受付部５１が長時間操作を受け付けない場合は、その第２モードＭ２における操作は、無効になる。より安全に、動作条件を設定できる。
【０１０３】
図７は、第１実施形態に係る制御装置の動作を例示する模式図である。  
図７は、上記の例における動作状態及び光学状態を例示している。  
図７に示すように、第１受付部５１により、第１モードＭ１及び第２モードＭ２の切替が可能である。第２受付部５２により、第１〜第３動作状態Ｒ１〜Ｒ３の切替が可能である。第３受付部５３により、第４動作状態Ｒ４及び第５動作状態Ｒ５の切替が可能である。第４受付部５４により、第６動作状態Ｒ６及び第７動作状態Ｒ７の切替が可能である。実施形態において、種々の変形が可能である。
【０１０４】
第３操作表示部２１ｃを第５受付部５５とする。図７に示すように、第１モードＭ１（第１動作状態Ｒ１）において、第５受付部５５は、第１０光学状態Ｔ１０である。第２動作状態Ｒ２及び第３動作状態Ｒ３において、第５受付部５５は、第１１光学状態Ｔ１１である。第１０光学状態Ｔ１０は、第１１光学状態の第１１明るさよりも明るい第１０明るさ、及び、第１１光学状態の第１１色とは異なる第１０色の少なくともいずれかを有する。例えば、第１０光学状態Ｔ１０は、ＯＮ状態である。第１１光学状態Ｔ１１は、ＯＦＦ状態である。
【０１０５】
第２受付部５２及び第５受付部５５は、相補関係にある。例えば、第２受付部５２及び第５受付部５５の一方が、明るいときに、他方は暗い。必要な操作表示部が選択的に明るくなる（または目立つ色になる）ことにより、操作をより分かりやすく、誘導できる。
【０１０６】
以下、実施形態に係る別の動作の例について説明する。以下では、現在の動作モードが「かたさ手動運転」であり、動作モードを「かたさ自動運転」に切り替えるときの動作の例について説明する。以下の例では、第３操作表示部２１ｃ（「かたさ自動運転」）が第２受付部５２に対応する。そして、第１操作表示部２１ａ（「８３幅」）が、第３受付部５３に対応する。第２操作表示部２１ｂ（「９１幅」）が、第４受付部５４に対応する。この例では、現在の設定が「８３幅」である。
【０１０７】
図８（ａ）〜図８（ｄ）は、第１実施形態に係る制御装置の動作を例示する模式図である。  
図８（ａ）に示すように、第１動作状態Ｒ１において、第７操作表示部２１ｇ（「かたさ手動運転」）は、第３光学状態Ｔ３（ＯＮ状態）である。一方、第２受付部５２は、第１光学状態Ｔ１（例えばＯＦＦ状態）である。第３受付部５３は、第４光学状態Ｔ４（例えばＯＦＦ状態）である。第４受付部５４は第７光学状態Ｔ７（例えば、ＯＦＦ状態）である。
【０１０８】
図８（ｂ）に示すように、第１受付部５１（例えば、裏側ボタン５０Ｂ）が第１操作を受け付けると、第２動作状態Ｒ２に移行する。第２動作状態Ｒ２では、第２受付部５２は、第２光学状態Ｔ２（例えば半ＯＮ状態ＨＯＮ）である。第３受付部５３は、第６光学状態Ｔ６（例えばＯＮ状態）である。第４受付部５４は第８光学状態Ｔ８（例えば、半ＯＮ状態ＨＯＮ）である。
【０１０９】
この例では、第２受付部５２が第２操作を受け付けると、第３動作状態Ｒ３に移行する。図８（ｃ）及び図８（ｄ）に示すように、第３動作状態Ｒ３において、第２受付部５２は、第３光学状態Ｔ３（例えば、ＯＮ状態）である。
【０１１０】
第３受付部５３及び第４受付部５４は、これらの受付部が操作を受け付けたかどうかで、光学状態が変化する。例えば、第３受付部５３が第３操作を受け付けると、図８（ｃ）に示すように、第３受付部５３は、第６光学状態Ｔ６（例えばＯＮ状態）となる。このとき、第４受付部５４は、第８光学状態Ｔ８（例えば半ＯＮ状態ＨＯＮ）である。
【０１１１】
一方、例えば、第４受付部５４が第４操作を受け付けると、図８（ｄ）に示すように、第４受付部５４は、第９光学状態Ｔ９（例えばＯＮ状態）となる。このとき、第３受付部５３は、第５光学状態Ｔ５（例えば半ＯＮ状態ＨＯＮ）である。
【０１１２】
この例では、第５動作状態Ｒ５（このとき第６動作状態Ｒ６）において、動作条件は第１条件（「８３幅」）に設定される。第４動作状態Ｒ４（このとき第７動作状態Ｒ７）において、動作条件は第２条件（「９１幅」）に設定される。
【０１１３】
以下、実施形態に係る別の動作の例について説明する。以下では、第４操作表示部２１ｄ（「圧切替」）、第５操作表示部２１ｅ（「操作音」）、及び、第６操作表示部２１ｆ（「除湿」）の動作の例について説明する。以下の例においても、第１受付部５１は、裏側ボタン５０Ｂである。
【０１１４】
図９は、第１実施形態に係る制御装置の動作を例示するフローチャート図である。  
図１０（ａ）及び図１０（ｂ）は、第１実施形態に係る制御装置の動作を例示する模式図である。  
図９において、図４と同様の部分は省略されている。この例では、第４操作表示部２１ｄが、第２受付部５２に対応する。図９に示すように、電源をＯＮにすると、第１モードＭ１（動作モード）になる（ステップＳ１０４）。この状態において、第２受付部５２（第３操作表示部２１ｃ）は、第１光学状態Ｔ１（例えばＯＦＦ状態）である。例えば、第１面１０ａは、図５（ｂ）または図５（ｃ）に例示した状態である。
【０１１５】
第１受付部５１が第１操作を受け付けたかどうかが判断される（ステップＳ１０６）。第１受付部５１が第１操作を受け付けると、第２モードＭ２（条件設定モード）になる（ステップＳ１１０）。この場合も、必要に応じて、キャリブレーション（ステップＳ１１１）が実施されても良い。
【０１１６】
第２受付部５２が選択されている状態かどうかが判断される（ステップＳ２２０）。この例では、「圧切替」が設定されているか、または、設定されていないかが判断される。第２受付部５２が選択されていると、第２受付部５２は、第３光学状態Ｔ３（例えば、ＯＮ状態）になる（ステップＳ２２１）。第２受付部５２が選択されていないと、第２受付部５２は、第２光学状態Ｔ２（例えば、半ＯＮ状態ＨＯＮ）になる（ステップＳ２２２）。
【０１１７】
このように、この例では、第２受付部５２に対応する機能が選択されているかどうかにより、第２受付部５２の光学状態が変化する。
【０１１８】
例えば、図１０（ａ）に示すように、第２受付部５２が選択されていると、第２受付部５２は、第３光学状態Ｔ３（例えば、ＯＮ状態）になる。図１０（ｂ）に示すように、第２受付部５２が選択されていないと、第２受付部５２は、第２光学状態Ｔ２（例えば、半ＯＮ状態ＨＯＮ）になる。現在の設定状態が分かりやすく表示される。
【０１１９】
現在の選択状態の表示（ステップＳ２２１またはステップＳ２２２）の後、第２受付部５２が第２操作を受け付けたかどうかが判断される（ステップＳ２２３）。第２受付部５２が第２操作を受け付けると、第２受付部５２は、第３光学状態Ｔ３になる（ステップＳ２２４）。
【０１２０】
例えば、第２受付部５２が第２操作を受け付ける度に、第２操作の受付／非受付が切り替わっても良い。例えば、第２受付部５１が１回操作されると、受付状態になる。その後、第２受付部５１がさらに１回操作されると、非受付状態になる。受付状態の場合、第２受付部５２は、第３光学状態Ｔ３（例えば、ＯＮ状態）になる。非受付状態の場合、第２受付部５２は、第２光学状態Ｔ２（例えば、半ＯＮ状態ＨＯＮ）になる（ステップＳ２２６）。
【０１２１】
受付状態の場合、第２受付部５２に対応する機能（この例では、「圧切替」）が設定状態になる（ステップＳ２２５）。非受付状態の場合、第２受付部５２に対応する機能（この例では、「圧切替」）が非設定状態になる（ステップＳ２２７）。
【０１２２】
この後、第１受付部５１が第１操作を受け付けるまで（ステップＳ１５０）、ステップＳ２２０〜ステップＳ２２７の処理が繰り返される。
【０１２３】
このように、１つの操作表示部において、３つの光学状態が設けられても良い。そして、３つの光学状態は、その操作表示部における操作可能な状態と連動する。
【０１２４】
例えば、この例においても、第１受付部５１が第１操作を受け付ける前の第１動作状態Ｒ１のときに、制御装置１１０は第１モードＭ１である（図９参照）。第１受付部５１が第１操作を受け付けると、制御装置１１０は第２モードＭ２に移行する（図９参照）。第２受付部５２は、第１動作状態Ｒ１において、第１光学状態Ｔ１である。第２モードＭ２中に第２受付部５２が第２操作を受け付けると、第２受付部は、第２光学状態Ｔ２または第３光学状態Ｔ３に切り替わる。
【０１２５】
例えば、第２受付部５２が第２操作を受け付けると、対象装置７６ｏの第１動作（例えば、「圧切替」）のＯＮ／ＯＦＦが切り替わる。例えば、第１動作状態Ｒ１において第１動作がＯＦＦであり、第２モードＭ２中に第２受付部５２が第２操作を受け付ける前は、第２受付部５２は第２光学状態Ｔ２である。第１動作状態Ｒ１において第１動作がＯＮであり、第２モードＭ２中に第２受付部５２が第２操作を受け付ける前は、第２受付部５２は第３光学状態Ｔ３である。このように、現在の状態が、第２光学状態Ｔ２または第３光学状態Ｔ３により、分かり易く表示される。
【０１２６】
この場合も、第２光学状態Ｔ２は、第１光学状態Ｔ１の第１明るさよりも明るい第２明るさ、及び、第１光学状態の第１色とは異なる第２色の少なくともいずれかを有する。第３光学状態Ｔ３は、第２明るさとは異なる第３明るさ、及び、第１色とは異なり第２色とは異なる第３色の少なくともいずれかを有する。例えば、第２受付部５２が選択されていると、例えば、第３光学状態Ｔ３の第３明るさは、第２明るさよりも明るい。例えば、第２受付部５２が選択されていないと、例えば、第３光学状態Ｔ３の第３明るさは、第２明るさよりも暗い。
【０１２７】
図９に関して説明した動作は、第２受付部５２が第５操作表示部２１ｅである場合、または、第２受付部５２が第６操作表示部２１ｆである場合にも実施できる。
【０１２８】
図１１（ａ）及び図１１（ｂ）は、第１実施形態に係る制御装置の動作を例示する模式図である。  
これらの図は、第２受付部５２が第５操作表示部２１ｅである場合に対応する。図１１（ａ）に示すように、第２受付部５２（「操作音」）が選択状態のとき、第２受付部５２は、第３光学状態Ｔ３である。図１１（ｂ）に示すように、第２受付部５２（「操作音」）が非選択状態のときは、第２受付部５２は、第２光学状態Ｔ２である。
【０１２９】
図１２（ａ）及び図１２（ｂ）は、第１実施形態に係る制御装置の動作を例示する模式図である。  
これらの図は、第２受付部５２が第６操作表示部２１ｆである場合に対応する。図１２（ａ）に示すように、第２受付部５２（「除湿」）が選択状態のとき、第２受付部５２は、第３光学状態Ｔ３である。図１２（ｂ）に示すように、第２受付部５２（「除湿」）が非選択状態のときは、第２受付部５２は、第２光学状態Ｔ２である。
【０１３０】
以下、実施形態に係る別の動作の例について説明する。以下では、第２受付部５２が第１操作表示部２１ａであり、第３受付部５３が第２操作表示部２１ｂである。この場合も、第１受付部５１は、裏側ボタン５０Ｂである。
【０１３１】
この場合も、第１受付部５１が第１操作を受け付ける前の第１動作状態Ｒ１のときに制御装置１１０は第１モードＭ１であり、第１受付部５１が第１操作を受け付けると制御装置１１０は第２モードＭ２に移行する。第２受付部５２は、第１〜第３光学状態Ｔ１〜Ｔ３を有する。第３受付部５３は、第４〜第６光学状態Ｔ４〜Ｔ６を有する。第１動作状態Ｒ１において、第２受付部５２は第１光学状態Ｔ１（例えばＯＦＦ状態）であり、第３受付部５３は第４光学状態Ｔ４（例えば、ＯＦＦ状態）である。以下、第２受付部５２及び第３受付部５３における光学状態の例について説明する。
【０１３２】
図１３（ａ）及び図１３（ｂ）は、第１実施形態に係る制御装置の動作を例示する模式図である。  
図１３（ａ）に示すように、第２モードＭ２中に第２受付部５２が第２操作を受け付けると、第２受付部５２は、第３光学状態Ｔ３（例えば、ＯＮ状態）になる。このとき、第３受付部５３は、第５光学状態Ｔ５（例えば、半ＯＮ状態ＨＯＮ）である。
【０１３３】
図１３（ｂ）に示すように、第２モードＭ２中に第３受付部５３が第３操作を受け付けると、第３受付部５３は、第６光学状態Ｔ６（例えば、ＯＮ状態）になる。このとき、第２受付部５２は、第３光学状態Ｔ３（例えば、半ＯＮ状態ＨＯＮ）である。
【０１３４】
このように、第２モードＭ２中に第２受付部５２が第２操作を受け付ける、または、第２モードＭ２中に第３受付部５３が第３操作を受け付けると、第２受付部５２は、第２光学状態Ｔ２と第３光学状態Ｔ３とに切り替わり、第３受付部５３は、第５光学状態Ｔ５と第６光学状態Ｔ６とに切り替わる。第２受付部５２が第２光学状態Ｔ２であるときに、第３受付部５３が第６光学状態Ｔ６である。第２受付部５２が第３光学状態Ｔ３であるときに、第３受付部５３が第５光学状態Ｔ５である。これらの光学状態は、例えば、上記で説明した通りである。
【０１３５】
例えば、対象装置７６ｏ（この例では、マットレス７６）が第１動作状態Ｒ１において第２受付部５２に対応する状態のときにおいて、第２モードＭ２中に第３受付部５３が第３操作を受け付ける前は、第２受付部５２は第３光学状態Ｔ３である。例えば、現在の設定が「８３幅」であるとき、「９１幅」に対応する第３受付部５３が操作される前は、第２受付部５２が、第３光学状態Ｔ３（例えば、ＯＮ状態）である。
【０１３６】
例えば、対象装置７６ｏが第１動作状態Ｒ１において第３受付部５３に対応する状態のときにおいて、第２モードＭ２中に第２受付部５２が第２操作を受け付ける前は、第３受付部５３は第６光学状態Ｔ６（例えば、ＯＮ状態）である。
【０１３７】
現在の状態が分かり易く表示される。動作条件の設定が可能なときに、対応する操作部が表示される。
【０１３８】
以下、実施形態に係る別の動作の例について説明する。以下では、特定動作ボタン６８が操作されたときの動作の例について説明する。１つの例において、特定の動作は、マットレス７６をかたくする動作である。マットレス７６をかたくすることで、例えば、ベッドの使用者の姿勢の変更、おむつ交換、または、車椅子への移乗などが容易になる。マットレス７６を長時間かたくすると、例えば、褥瘡が生じ易くなる。このため、特定の動作の実施が一定の時間（例えば１時間）を超えると、特定の動作は、オフになる（オートオフ機能）。
【０１３９】
以下の例では、第２受付部５２は、第７操作表示部２１ｇであり、第５受付部５５は、第３操作表示部２１ｃである。
【０１４０】
図１４（ａ）〜図１４（ｃ）は、第１実施形態に係る制御装置の動作を例示する模式図である。  
これらの図に示すように、特定動作ボタン６８は、例えば、第６受付部５６に対応する。図１４（ａ）に示すように、第６受付部５６（特定動作ボタン６８）が操作を受け付ける前は、第１モードＭ１（第２受付部５２は第１動作状態Ｒ１）である。第２受付部５２は、第１光学状態Ｔ１であり、実質的に見えない。このとき、第５受付部５５は、第１０光学状態Ｔ１０（例えば、ＯＮ状態）である。
【０１４１】
この状態において、第６受付部５６（特定動作ボタン６８）が操作を受け付けたとき、第２受付部５２は第１光学状態Ｔ１であり、第５受付部５５は、第１１光学状態Ｔ１１（例えば、ＯＦＦ状態）である。そして、例えば、表示部２８に、特定動作ボタン６８による動作の実施時間（または残り時間）が表示される。
【０１４２】
図１４（ｃ）に示すように、動作モードが「かたさ手動運転」の場合、第７操作表示部２１ｇがＯＮ状態でも良い。
【０１４３】
図１５は、第１実施形態に係る制御装置の動作を例示する模式図である。  
図１５に示すように、状態Ｓ０１において、電源ＯＦＦである。電源ＯＮにすると、状態Ｓ０２または状態Ｓ０４に移行する。状態Ｓ０２は、「かたさ自動運転」である。状態Ｓ０４は、「かたさ手動運転」である。
【０１４４】
状態Ｓ０２において、第３操作表示部２１ｃがＯＮ状態になる。このとき、現在の設定状態（例えば、「ベッドリンク」、「圧切替」、「操作音」、「除湿」、「かたさ」、「幅設定」及び「準備中」など）が表示される。
【０１４５】
状態Ｓ０２が、例えば、所定の時間（例えば２０秒）経過すると、状態Ｓ０３に移行する。状態Ｓ０３では、現在の複数の設定状態の一部が表示される。エアポンプ７６ｃによる給気が行われる。例えば、給気が完了すると、「準備中」が消灯し、状態Ｓ０７に移行する。状態Ｓ０７は、動作モードの１つの状態である。
【０１４６】
状態Ｓ０７において、特定動作ボタン６８が操作される（ボタンを押す）と、状態Ｓ０８（給気）を経て、状態Ｓ０９（給気完了）に移行する。このような動作において、特定動作ボタン６８が点灯しても良い。
【０１４７】
状態Ｓ０７において、第３操作表示部２１ｃを操作すると、状態Ｓ０６に移行しても良い。状態Ｓ０６においては、例えば、表示部２８に「現在のかたさ」が表示される。状態Ｓ０６が、例えば、所定の時間（例えば２０秒）経過すると、状態Ｓ０７に戻る。
【０１４８】
一方、電源ＯＮの後に状態Ｓ０４に移行した場合は、第７操作表示部２１ｇがＯＮ状態になる。このとき、現在の設定状態（例えば、「ベッドリンク」、「圧切替」、「操作音」、「除湿」、「かたさ」、「幅設定」及び「準備中」など）が表示される。
【０１４９】
状態Ｓ０４が、例えば、所定の時間（例えば２０秒）経過すると、状態Ｓ０５に移行する。状態Ｓ０５では、現在の複数の設定状態の一部が表示される。エアポンプ７６ｃによる給気が行われる。例えば、給気が完了すると、「準備中」が消灯し、状態Ｓ１１に移行する。状態Ｓ１１は、動作モードの１つの状態である。
【０１５０】
状態Ｓ１１において、特定動作ボタン６８が操作される（ボタンを押す）と、状態Ｓ１０（給気）を経て、状態Ｓ０９（給気完了）に移行する。このような動作において、特定動作ボタン６８が点灯しても良い。
【０１５１】
状態Ｓ１１において、第７操作表示部２１ｇを操作すると、状態Ｓ１２に移行しても良い。状態Ｓ１２においては、例えば、表示部２８に「現在のかたさ」が表示される。状態Ｓ１２が、例えば、所定の時間（例えば２０秒）経過すると、状態Ｓ１１に戻る。
【０１５２】
状態Ｓ０６及び状態Ｓ０７において、裏側ボタン５０Ｂ（図１（ｃ）参照）が操作されると、例えば、状態Ｓ１５に移行する。状態Ｓ１５において、上記の第２モードＭ２が実施される。状態Ｓ１１及び状態Ｓ１２において、裏側ボタン５０Ｂが操作されると、例えば、状態Ｓ１７に移行する。状態Ｓ１７において、上記の第２モードＭ２が実施される。
【０１５３】
第２モードＭ２においては、各種の操作表示部の操作により、状態Ｓ１５〜Ｓ１９に相互に移行する。例えば、設定しようとしている「かたさ」の関する数字が表示部２８に表示される。状態Ｓ１５〜Ｓ１９において、裏側ボタン５０Ｂを操作すると、状態Ｓ０６または状態Ｓ１２に戻る。
【０１５４】
例えば、エラーが生じる場合がある。このとき、エラーの内容に応じて、状態Ｓ１３または状態Ｓ１４により、エラーが表示される。
【０１５５】
実施形態においては、必要な「ボタン」が、必要なときに、表示（例えば点灯）される。必要ではないときには、表示が消える。表示は、例えば、複数の状態（例えば、ＯＮ状態または半ＯＮ状態ＨＯＮ）で行われる。より使い易くできる制御装置及び電動家具が提供できる。
【０１５６】
実施形態においては、例えば、「ボタン」はタッチ式である。第１面１０ａが平坦にできるため、清掃が容易であり、清潔である。
【０１５７】
第１面１０ａの表面がタッチにより変形する場合がある。このような場合に、操作の検出が不安定になる場合がある。例えば、既に説明したキャリブレーションにより、検出が安定化できる。例えば、第１モードＭ１から第２モードＭ２への移行時、第２動作状態Ｒ２から第３動作状態Ｒ３への移行時、及び、電源のＯＮ時の少なくともいずれかにおいて、第２受付部５２はキャリブレーションされても良い。
【０１５８】
（第２実施形態）  
図１６（ａ）及び図１６（ｂ）は、第２実施形態に係る制御装置及び電動家具を例示する模式的斜視図である。  
図１６（ｂ）は、電動家具に含まれる一部の要素を例示している。図１６（ａ）に示すように、第２実施形態に係る制御装置１２０は、センサ４５と共に用いられる。実施形態に係る電動家具３２０は、例えば、制御装置１２０と、センサ４５と、を含む。
【０１５９】
センサ４５は、例えば、排泄センサである。例えば、ベッドのフレーム７５の上に、ボトム７１が設けられている。ボトム７１の上に、マットレス７６が設けられる。マットレス７６の上に、センサ４５が設けられる。センサ４５は、制御部４３と接続される。
【０１６０】
例えば、制御部４３と制御装置１２０とが、接続される。制御部４３と制御装置１２０との接続は、有線または無線の任意の方法が用いられる。この例では、制御装置１２０は、ケーブル１５により、制御部４３に接続される。制御部４３は、センサ４５の一部と見なされても良い。
【０１６１】
制御装置１２０の操作により、センサ４５の動作が制御される。制御装置１２０は、例えば、電動家具３２０のリモートコントローラ（リモコン）である。センサ４５は、制御装置１２０により制御される対象装置７６ｏの例である。
【０１６２】
図１６（ｂ）は、センサ４５（この例では排泄センサ）を例示している。センサ４５は、例えば、シート部４７と、チューブ（この例では、第１チューブ４１及び第２チューブ４２）を含む。シート部４７には、孔（例えば、第１孔ｈ１及び第２孔ｈ２）が設けられている。例えば、第１チューブ４１には、第１開口部４１ａが設けられている。第２チューブ４２には、第２開口部４２ａが設けられている。例えば、第１孔ｈ１は、第１開口部４１ａと重なる。例えば、第２孔ｈ２は、第２開口部４２ａと重なる。
【０１６３】
第１チューブ４１の端部に第１ポンプ４６ａが設けられる。第２チューブ４２の端部に第２ポンプ４６ｂが設けられる。これらのポンプのドレイン側に臭いセンサ４８が設けられる。これらのポンプにより、これらのチューブを介して、第１孔ｈ１及び第２孔ｈ２の近傍の気体が吸入される。これらの孔の近傍に、例えば、使用者の臀部（例えば、おむつなど）が位置する。使用者が排泄すると、排泄に伴う臭いを含む気体がチューブを介して臭いセンサ４８に送られる。この臭いが、臭いセンサ４８で検出されることで、排泄が検出される。吸気された気体は、排気口４０Ｄから排出される。実施形態において、センサ４５の構成は種々の変形が可能である。
【０１６４】
例えば、センサ４５で排泄が検出されると、介護者などに通知信号が送信される。介護者などは、ベッドの使用者（対象者）の居るところに行き、おむつを交換する。このとき、実際の排泄の種類（尿または便）を記録することが好ましい。さらに、通知信号が送信された場合でも、実際には排泄がない場合もある。排泄の種類、及び、排泄の有無を記録することで、対象者により良いサービスを提供できる。排泄の種類、及び、排泄の有無の記録（例えば登録）を、制御装置１２０を用いて行うことができる。
【０１６５】
さらに、このようなセンサ４５において、例えば、通知信号の送信のチャンネルの設定、操作音の有無の設定、または、感度の設定などの各種の設定がある。このような設定を制御装置１２０で行うことができる。
【０１６６】
以下、制御装置１２０の例について説明する。以下では、対象装置７６ｏは、排泄センサである。
【０１６７】
図１７（ａ）〜図１７（ｃ）は、第２実施形態に係る制御装置及び電動家具を例示する模式図である。  
図１７（ａ）に示すように、第１面１０ａに、第１〜第１０操作表示部３１ａ〜３１ｊが設けられる。これらの操作表示部の少なくともいずれかは、操作（例えば使用者などによる操作）を受け付け可能であり、表示が可能である。この場合も、操作表示部の表示は、ＯＮ状態、ＯＦＦ状態、及び、半ＯＮ状態を含む。図１７（ａ）においては、表示における複数の状態が、図中の画像の状態で表示されている。
【０１６８】
図１７（ｂ）は、第１面１０ａとなる板部３８を例示している。この例では、板部３８に第１層３８Ｌが設けられる。第１層３８Ｌは、例えば、印刷などにより形成される。第１層３８Ｌは、操作表示部がＯＦＦ状態のときも、周囲の光の反射により、認識されることが可能である。図１７（ｂ）は、例えば、操作表示部のそれぞれがＯＦＦ状態である場合に対応する。図１７（ａ）に示す状態は、操作表示部がＯＮ状態である。図１７（ａ）に示すように、例えば、第４操作表示部３１ｄにおいては、第１層３８Ｌによる表示パターンの他に、第４操作表示部３１ｄがＯＮ状態であることの表示（枠）が認識できる。
【０１６９】
第１操作表示部３１ａは、例えば、送信チャンネルを上げる操作を受け付け可能である。第２操作表示部３１ｂは、例えば、送信チャンネルを下げる操作を受け付け可能である。第３操作表示部３１ｃは、例えば、「送信」の入力（操作）を受け付け可能である。
【０１７０】
第４操作表示部３１ｄは、例えば、「尿の排泄があったこと」の入力（操作）を受け付け可能である。第５操作表示部３１ｅは、例えば、「便の排泄があったこと」の入力（操作）を受け付け可能である。第６操作表示部３１ｆは、例えば、「排泄がなかったこと」の入力（操作）を受け付け可能である。
【０１７１】
第７操作表示部３１ｇは、例えば、「フィルタ交換」に関する操作を受け付け可能である。例えば、センサ４５のセンサ部にフィルタが設けられる場合に、センサ部から「フィルタの交換」の要請の通知が送信される。第７操作表示部３１ｇにより、「フィルタ交換」に関する動作が行われる。
【０１７２】
第８操作表示部３１ｈは、例えば、「操作音」（動作条件の１つ）がＯＮまたはＯＦＦに設定されていることの表示が可能である。第８操作表示部３１ｈは、例えば、「操作音」をＯＮまたはＯＦＦに設定する操作を受け付け可能である。第８操作表示部３１ｈにおける操作の受け付けにより、「操作音」の設定が、ＯＮからＯＦＦへ、または、ＯＦＦからＯＮへ切り替わる。
【０１７３】
第９操作表示部３１ｉは、例えば、「登録・テスト」（動作条件の１つ）がＯＮまたはＯＦＦに設定されていることの表示が可能である。第９操作表示部３１ｉは、例えば、「登録・テスト」をＯＮまたはＯＦＦに設定する操作を受け付け可能である。第９操作表示部３１ｉにおける操作の受け付けにより、「登録・テスト」の設定が、ＯＮからＯＦＦへ、または、ＯＦＦからＯＮへ切り替わる。
【０１７４】
第１０操作表示部３１ｊは、例えば、「感度」の設定（動作条件の１つ）がＯＮまたはＯＦＦに設定されていることの表示が可能である。第１０操作表示部３１ｊは、例えば、「感度」の設定をＯＮまたはＯＦＦに設定する操作を受け付け可能である。第１０操作表示部３１ｊにおける操作の受け付けにより、「感度」の設定が、ＯＮからＯＦＦへ、または、ＯＦＦからＯＮへ切り替わる。
【０１７５】
図１７（ｃ）は、表示部２８を例示している。表示部２８には、例えば、送信チャンネル、または、時間などが表示可能である。この例では、表示部２８に、表示部３１ｉＤが設けられている。表示部３１ｉＤは、第９操作表示部３１ｉによる動作状態（この例では、「登録・テスト」）を表示する。例えば、「登録・テスト」がＯＮになると、表示部３１ｉＤがＯＮ状態となる。
【０１７６】
図１７（ａ）に示すように、制御装置１２０の側部（頂部）に、一時停止ボタン６５が設けられる。既に説明したように、センサ４５で排泄が検出されると、介護者などに通知信号が送信される。介護者などは、一時停止ボタン６５を操作（例えばボタンを押すこと）する。これにより、通知信号が停止される。この後、介護者は、おむつを交換する。このときに、排泄の種類、及び、排泄の有無の記録が、制御装置１２０を用いて行われる。以下では、第１受付部５１は、一時停止ボタン６５に対応する。第２受付部５２は、例えば、第４操作表示部３１ｄに対応する。
【０１７７】
図１８（ａ）及び図１８（ｂ）は、第２実施形態に係る制御装置を例示する模式図である。  
図１８（ａ）において、図を見やすくするために、板部３８が分離されて描かれている。図１８（ｂ）は、図１８（ａ）のＡ１−Ａ２線断面図である。この例では、第４操作表示部３１ｄ（例えば、第２受付部５２）の断面が示されている。他の操作表示部も、第４操作表示部３１ｄと同様の構造を有しても良い。
【０１７８】
図１８（ａ）及び図１８（ｂ）に示すように、板部３８は、板３８Ｐ及び第１層３８Ｌを含む。板３８Ｐの上に、第１層３８Ｌが設けられる。例えば、第１電極３１の少なくとも一部と、第１層３８Ｌの少なくとも一部と、の間に、板３８Ｐの少なくとも一部が設けられる。例えば、第２電極３２の少なくとも一部と、第１層３８Ｌの少なくとも一部と、の間に、板３８Ｐの少なくとも一部が設けられる。例えば、発光素子３３の少なくとも一部と、第１層３８Ｌの少なくとも一部と、の間に、板３８Ｐの少なくとも一部が設けられる。
【０１７９】
この例においても、第２受付部５２の明るさ（例えば、ＯＮ状態、ＯＦＦ状態、及び、半ＯＮ状態）は、発光素子３３から放出される光量（例えば明るさ）により変更できる。
【０１８０】
以下、第１受付部５１（一時停止ボタン６５）及び第２受付部５２（第４操作表示部３１ｄ）における動作の例について説明する。
【０１８１】
図１９（ａ）〜図１９（ｅ）は、第２実施形態に係る制御装置の動作を例示する模式図である。  
図１９（ａ）は、電源ＯＦＦの状態を例示している。この状態において、第４〜第６操作入力部３１ｄ〜３１ｆに対応する位置で、第１層３８Ｌによる表示パターンが認識できる。
【０１８２】
図１９（ｂ）は、電源ＯＮの状態を例示している。この状態は、センサ４５による検出中の状態である。例えば、排泄が検出される。
【０１８３】
図１９（ｃ）に示すように、排泄が検出されると、通知信号が送信される。例えば、表示部２８に「Ｃａｌｌ」が表示される。図１９（ｂ）及び図１９（ｃ）に例示する状態は、第１モードＭ１である。第１モードＭ１は、センサ４５が動作中である。このとき、第２受付部５２（この例では第４操作表示部３１ｄ）は、第１動作状態Ｒ１であり、第１光学状態Ｔ１（例えばＯＦＦ状態）である。
【０１８４】
例えば、介護者により、一時停止ボタン６５（第１受付部５１）が操作される。例えば、一時停止ボタン６５が押される。これにより、図１９（ｄ）に示す第２モードＭ２に移行する。このとき、第２受付部５２（この例では第４操作表示部３１ｄ）は、第２動作状態Ｒ２になり、第２光学状態Ｔ２（例えば半ＯＮ状態ＨＯＮ）になる。
【０１８５】
例えば、介護者が、排泄の状態を調べる。そして、排泄の状態に合わせて、第４〜第５操作表示部３１ｄ〜３１ｆを操作する。例えば、尿の排泄があると、介護者は、第４操作表示部３１ｄを操作する（例えばタッチ入力する）。これにより、第２受付部５２（この例では第４操作表示部３１ｄ）は、第３動作状態Ｒ３になり、第３光学状態Ｔ３（例えばＯＮ状態）になる。
【０１８６】
第５操作表示部３１ｅ及び第６操作表示部３１ｆにおいても、上記の第４操作表示部３１ｄと同様の動作が行われても良い。
【０１８７】
図１９（ｅ）に示すようい、例えば、第３操作表示部３１ｃ（「送信」）が操作されると、第４〜第６操作表示部３１ｄ〜３１ｆにより入力された内容（情報）が、送信される。
【０１８８】
この後（例えば、おむつ交換の後）、一時停止ボタン６５（第１受付部５１）を押すことで、第１モードＭ１（例えば、図１９（ｂ）の状態）に戻る。
【０１８９】
このように、制御装置１２０も、第１受付部５１（一時停止ボタン６５）及び第２受付部５２（第４操作表示部３１ｄ）を含む。制御装置１２０は、対象装置７６ｏ（この例では、センサ４５）を制御可能である。
【０１９０】
第１受付部５１が第１操作を受け付ける前の第１動作状態Ｒ１のときに制御装置１２０は第１モードＭ１である（図１９（ｂ）及び図１９（ｃ）参照）。第１受付部５１が第１操作を受け付けると、制御装置１２０は、第２モードＭ２に移行する（図１９（ｂ）及び図１９（ｃ）参照）。
【０１９１】
第２受付部５２は、第１動作状態Ｒ１において、第１光学状態Ｔ１である（図１９（ｂ）及び図１９（ｃ）参照）。第２モードＭ２中に第２受付部５２が第２操作を受け付ける前の第２動作状態Ｒ２において、第２受付部５２は、第２光学状態Ｔ２である（図１９（ｄ）参照）。第２モードＭ２中に第２受付部５２が第２操作を受け付けた第３動作状態Ｒ３において、第２受付部５２は第３光学状態Ｔ３である（図１９（ｅ）参照）。
【０１９２】
第２光学状態Ｔ２は、第１光学状態Ｔ１の第１明るさよりも明るい第２明るさ、及び、第１光学状態Ｔ１の第１色とは異なる第２色の少なくともいずれかを有する。第３光学状態Ｔ３は、第２明るさよりも明るい第３明るさ、及び、第１色とは異なり第２色とは異なる第３色の少なくともいずれかを有する。
【０１９３】
このような動作が、第２受付部５２が第５操作表示部３１ｅ及び第６操作表示部３１ｆである場合にも実施されても良い。
【０１９４】
例えば、図１９（ｂ）及び図１９（ｃ）に示すように、不必要なときには、第４〜第６操作表示部３１ｄ〜３１ｆは表示されない（例えばＯＦＦ状態）。図１９（ｄ）に示すように、操作の受付が可能な状態になると、第４〜第６操作表示部３１ｄ〜３１ｆは、半ＯＮ状態ＨＯＮになる。そして、第４〜第６操作表示部３１ｄ〜３１ｆが操作を受け付けると、第４〜第６操作表示部３１ｄ〜３１ｆは、ＯＮ状態になる。このような動作により、操作を誘導できる。操作が容易になる。例えば、より使い易くできる制御装置及び電動家具を提供できる。
【０１９５】
以下、制御装置１２０における別の動作の例について説明する。  
図２０（ａ）〜図２０（ｃ）は、第２実施形態に係る制御装置の動作を例示する模式図である。  
図２０（ａ）は、電源がＯＮ状態（センサ４５による検出中の状態）を例示している。このとき、裏側ボタン５０Ｂ（図１（ｃ）参照）が操作されると、条件設定モードに移行する。
【０１９６】
例えば、２０（ｂ）に示すように、条件設定モードでは、例えば、第１操作表示部３１ａ、第２操作表示部３１ｂ、第７操作表示部３１ｇ、第８操作表示部３１ｈ、及び、第９操作表示部３１ｉがＯＮ状態になる。
【０１９７】
例えば、第１操作表示部３１ａまたは第２操作表示部３１ｂが操作されると、その操作に合わせて、チャンネルの番号が変化する。チャンネルの番号が、表示部２８に表示される。例えば、第７操作表示部３１ｇ、第８操作表示部３１ｈ、及び、第９操作表示部３１ｉに対応する動作が実施される。
【０１９８】
図２０（ｃ）に示すように、第９操作表示部３１ｉ（「登録・テスト」）が操作されたときに、表示部３１ｉＤが点滅しても良い。
【０１９９】
図２１は、第２実施形態に係る制御装置の動作を例示する模式図である。  
図２１に示すように、状態Ｓ３１（電源ＯＮ）において、センサ４５による検出が行われている。状態Ｓ３１において、排泄の通知信号ＳｉｇＮがセンサ４５から発信されると、状態Ｓ３２に移行する。
【０２００】
状態Ｓ３２において、表示部２８に「Ｃａｌｌ」が表示される。状態Ｓ３２において、一時停止ボタン６５（第１受付部５１）の操作（操作６５Ａまたは操作５１Ａ）が行われると、状態Ｓ３３に移行する。状態Ｓ３３では、図１９（ｄ）及び図１９（ｅ）に関して説明した動作が行われる。
【０２０１】
状態Ｓ３３において、第３操作表示部３１ｃ（「送信」）が操作されると（操作３１ｃＡ）、状態Ｓ３１に戻る。この場合、第４〜第６操作表示部３１ｄ〜３１ｆにより入力した情報が、送信される。または、一時停止ボタン６５（第１受付部５１）の操作（操作６５Ａまたは操作５１Ａ）により、状態Ｓ３１に戻る。または、一定の時間（Ｔｉｍｅｒ１）が経過すると、状態Ｓ３１に戻る。時間（Ｔｉｍｅｒ１）は、例えば、２０分である。
【０２０２】
状態Ｓ３１において、一時停止ボタン６５（第１受付部５１）の操作（操作６５Ａまたは操作５１Ａ）により、状態Ｓ３３に移行しても良い。
【０２０３】
状態Ｓ３１において、裏側ボタン５０Ｂの操作（操作５０ＢＡ）が行われると、状態Ｓ３４に移行する。状態Ｓ３４は、条件設定モードである。状態Ｓ３４において、第１操作表示部３１ａ、第２操作表示部３１ｂ、第７操作表示部３１ｇ、第８操作表示部３１ｈ、及び、第９操作表示部３１ｉなどが操作され、所望の条件の設定が行われる。
【０２０４】
例えば、状態Ｓ３４において、第９操作表示部３１ｉ（登録・テスト）の操作（操作３１ｉＡ）が行われると、状態Ｓ３５に移行する。状態Ｓ３５において、第９操作表示部３１ｉが操作されると、表示部３１ｉＤが点滅する。状態Ｓ３５において、第９操作表示部３１ｉ（登録・テスト）の操作（操作３１ｉＡ）が行われると、状態Ｓ３４に戻る。状態Ｓ３５において、裏側ボタン５０Ｂの操作（操作５０ＢＡ）が行われると、状態Ｓ３１に移行する。または、一定の時間（Ｔｉｍｅｒ３）が経過すると、状態Ｓ３１に戻る。時間（Ｔｉｍｅｒ３）は、例えば、３０分である。
【０２０５】
状態Ｓ３４において、裏側ボタン５０Ｂの操作（操作５０ＢＡ）が行われると、状態Ｓ３１に戻る。または、状態Ｓ３４において、一定の時間（Ｔｉｍｅｒ２）が経過すると、状態Ｓ３１に移行する。時間（Ｔｉｍｅｒ２）は、例えば、３０秒である。
【０２０６】
上記の状態Ｓ３１〜Ｓ３５において、エラー信号ＳｉｇＥを受信すると、状態Ｓ３６に移行する。状態Ｓ３６では、表示部２８にエラー表示（この例で「Ｕ０１」）が表示される。
【０２０７】
状態Ｓ３１〜Ｓ３６において、フィルタ交換を通知するフィルタ交換信号ＳｉｇＦを受信可能である。
【０２０８】
状態Ｓ３４及び状態Ｓ３５においても、排泄の通知信号ＳｉｇＮを受信できる。通知信号ＳｉｇＮを受信により、状態Ｓ３２に移行する。
【０２０９】
状態Ｓ３４では、第１操作表示部３１ａの操作３１ａＡ、第２操作表示部３１ｂの操作３１ｂＡ、第７操作表示部３１ｇの操作３１ｇＡ、及び、第８操作表示部３１ｈの操作３１ｈＡを受け付けることができる。
【０２１０】
状態Ｓ３３では、第４操作表示部３１ｄの操作３１ｄＡ、第５操作表示部３１ｅの操作３１ｅＡ、及び、第６操作表示部３１ｆの操作３１ｆＡを受け付けることができる。
【０２１１】
実施形態において、板部３８を交換し、例えば、制御回路３７のプログラムを変更することで、制御装置１１０及び制御装置１２０が簡単に入れ替えられる。
【０２１２】
実施形態は、以下の構成（技術案）を含んでも良い。  
（構成１）  
第１受付部及び第２受付部を備え、対象装置を制御可能な制御装置であって、
前記第１受付部が第１操作を受け付ける前の第１動作状態のときに前記制御装置は第１モードであり、前記第１受付部が前記第１操作を受け付けると前記制御装置は第２モードに移行し、
前記第２受付部は、前記第１動作状態において、第１光学状態であり、
前記第２モード中に前記第２受付部が第２操作を受け付ける前の第２動作状態において、前記第２受付部は、第２光学状態であり、
前記第２モード中に前記第２受付部が前記第２操作を受け付けた第３動作状態において、前記第２受付部は第３光学状態であり、
前記第２光学状態は、前記第１光学状態の第１明るさよりも明るい第２明るさ、及び、前記第１光学状態の第１色とは異なる第２色の少なくともいずれかを有し、
前記第３光学状態は、前記第２明るさよりも明るい第３明るさ、及び、前記第１色とは異なり前記第２色とは異なる第３色の少なくともいずれかを有する、制御装置。
（構成２）  
前記第１モードにおいて、前記制御装置は、動作モードであり、
前記第２モードにおいて、前記制御装置は、前記対象装置の動作に関する条件設定モードであり、
前記第３動作状態において、前記制御装置は、前記動作条件を受け付け可能である、構成１記載の制御装置。
（構成３）  
第３受付部をさらに備え、
前記第１動作状態及び前記第２動作状態において、前記第３受付部は、第４光学状態であり、
前記第３動作状態中に前記第３受付部が第３操作を受け付ける前の第４動作状態において、前記第３受付部は第５光学状態であり、
前記第３動作状態中に前記第３受付部が前記第３操作を受け付けた第５動作状態において、前記第３受付部は前記第６光学状態であり、
前記第５光学状態は、前記第４光学状態の第４明るさよりも明るい第５明るさ、及び、前記第４光学状態の第４色とは異なる第５色の少なくともいずれかを有し、
前記第６光学状態は、前記第５明るさよりも明るい第６明るさ、及び、前記第４色とは異なり前記第５色とは異なる第６色の少なくともいずれかを有する、構成１または２に記載の制御装置。
（構成４）  
第４受付部をさらに備え、
前記第１動作状態及び前記第２動作状態において、前記第４受付部は、第７光学状態であり、
前記第３動作状態中に前記第４受付部が第４操作を受け付ける前の第６動作状態において、前記第４受付部は、前記第８光学状態であり、
前記第３動作状態中に前記第４受付部が前記第４操作を受け付けた第７動作状態において、前記第４受付部は、前記第９光学状態であり、
前記第８光学状態は、前記第７光学状態の第７明るさよりも明るい第８明るさ、及び、前記第７光学状態の第７色とは異なる第８色の少なくともいずれかを有し、
前記第９光学状態は、前記第８明るさよりも明るい第９明るさ、及び、前記第７色とは異なり前記第８色とは異なる第９色の少なくともいずれかを有する、構成３記載の制御装置。
（構成５）  
前記第３受付部が前記第５光学状態のときに、前記第４受付部は前記第９光学状態であり、
前記第３受付部が前記第６光学状態のときに、前記第４受付部は前記第８光学状態である、構成４記載の制御装置。
（構成６）  
前記第２受付部は、別の前記第１動作状態において、前記第３光学状態である、構成１〜５のいずれか１つに記載の制御装置。
（構成７）  
前記第５動作状態において、前記動作条件は第１条件に設定され、
前記第７動作状態において、前記動作条件は第２条件に設定される、構成３〜６のいずれか１つに記載の記載の制御装置。
（構成８）
前記第２条件は、前記第１条件とは逆である、構成７記載の制御装置。
（構成９）  
第３受付部及び第４受付部をさらに備え、
前記第１動作状態及び前記第２動作状態において、前記第３受付部は、第４光学状態であり、
前記第３動作状態中の第４動作状態において、前記第３受付部は前記第５光学状態であり、
前記第３動作状態中の第５動作状態において、前記第３受付部は前記第６光学状態であり、
前記第５光学状態は、前記第４光学状態の第４明るさよりも明るい第５明るさ、及び、前記第４光学状態の第４色とは異なる第５色の少なくともいずれかを有し、
前記第６光学状態は、前記第５明るさよりも明るい第６明るさ、及び、前記第４色とは異なり前記第５色とは異なる第６色の少なくともいずれかを有し、
前記第１動作状態及び前記第２動作状態において、前記第４受付部は、第７光学状態であり、
前記第５動作状態において、前記第４受付部は、第８光学状態であり、
前記第４動作状態において、前記第４受付部は、第９光学状態であり、
前記第８光学状態は、前記第７光学状態の第７明るさよりも明るい第８明るさ、及び、前記第７光学状態の第７色とは異なる第８色の少なくともいずれかを有し、
前記第９光学状態は、前記第８明るさよりも明るい第９明るさ、及び、前記第７色とは異なり前記第８色とは異なる第９色の少なくともいずれかを有する、構成１または２に記載の制御装置。
（構成１０）  
前記第５動作状態において、前記動作条件は第１条件に設定され、
前記第４動作状態において、前記動作条件は第２条件に設定される、構成９記載の制御装置。
（構成１１）  
第５受付部をさらに備え、
前記第５受付部は、前記第１動作状態において、第１０光学状態であり、
前記第５受付部は、前記第２動作状態及び前記第３動作状態において、前記第１１光学状態であり、
前記第１０光学状態は、前記第１１光学状態の第１１明るさよりも明るい第１０明るさ、及び、前記第１１光学状態の第１１色とは異なる第１０色の少なくともいずれかを有する、構成１〜１０のいずれか１つに記載の制御装置。
（構成１２）  
第６受付部をさらに備え、
前記第６受付部が操作を受け付けたとき、前記第２受付部は前記第１光学状態であり、前記第５受付部は、前記第１１光学状態である、構成１１記載の制御装置。
（構成１３）  
第１受付部及び第２受付部を備え、対象装置を制御可能な制御装置であって、
前記第１受付部が第１操作を受け付ける前の第１動作状態のときに前記制御装置は第１モードであり、前記第１受付部が前記第１操作を受け付けると前記制御装置は第２モードに移行し、
前記第２受付部は、前記第１動作状態において、第１光学状態であり、
前記第２モード中に前記第２受付部が第２操作を受け付けると、前記第２受付部は、第２光学状態または第３光学状態に切り替わり、
前記第２光学状態は、前記第１光学状態の第１明るさよりも明るい第２明るさ、及び、前記第１光学状態の第１色とは異なる第２色の少なくともいずれかを有し、
前記第３光学状態は、前記第２明るさとは異なる第３明るさ、及び、前記第１色とは異なり前記第２色とは異なる第３色の少なくともいずれかを有する、制御装置。
（構成１４）  
前記第２受付部が前記第２操作を受け付けると前記対象装置の第１動作のＯＮ／ＯＦＦが切り替わり、
前記第１動作状態において前記第１動作がＯＦＦであり、前記第２モード中に前記第２受付部が前記第２操作を受け付ける前は、前記第２受付部は前記第２光学状態であり、
前記第１動作状態において前記第１動作がＯＮであり、前記第２モード中に前記第２受付部が前記第２操作を受け付ける前は、前記第２受付部は前記第３光学状態である、構成１３記載の制御装置。
（構成１５）  
第１〜第３受付部を備え、対象装置を制御可能な制御装置であって、
前記第１受付部が第１操作を受け付ける前の第１動作状態のときに前記制御装置は第１モードであり、前記第１受付部が前記第１操作を受け付けると前記制御装置は第２モードに移行し、
前記第２受付部は、第１〜第３光学状態を有し、
前記第３受付部は、第４〜第６光学状態を有し、
記第１動作状態において、前記第２受付部は前記第１光学状態であり、前記第３受付部は前記第４光学状態であり、
前記第２モード中に前記第２受付部が第２操作を受け付ける、または、前記第２モード中に前記第３受付部が第３操作を受け付けると、前記第２受付部は、前記第２光学状態と前記第３光学状態とに切り替わり、前記第３受付部は、前記第５光学状態と前記第６光学状態とに切り替わり、前記第２受付部が前記第２光学状態であるときに前記第３受付部が前記第６光学状態であり、前記第２受付部が前記第３光学状態であるときに前記第３受付部が前記第５光学状態であり、
前記第２光学状態は、前記第１光学状態の第１明るさよりも明るい第２明るさ、及び、前記第１光学状態の第１色とは異なる第２色の少なくともいずれかを有し、
前記第３光学状態は、前記第２明るさよりも明るい第３明るさ、及び、前記第１色とは異なり前記第２色とは異なる第３色の少なくともいずれかを有し、
前記第５光学状態は、前記第４光学状態の第４明るさよりも明るい第５明るさ、及び、前記第４光学状態の第４色とは異なる第５色の少なくともいずれかを有し、
前記第６光学状態は、前記第５明るさよりも明るい第６明るさ、及び、前記第４色とは異なり前記第５色とは異なる第６色の少なくともいずれかを有する、制御装置。
（構成１６）  
前記対象装置が前記第１動作状態において前記第２受付部に対応する状態のときにおいて、前記第２モード中に前記第３受付部が前記第３操作を受け付ける前は、前記第２受付部は前記第３光学状態であり、
前記対象装置が前記第１動作状態において前記第３受付部に対応する状態のときにおいて、前記第２モード中に前記第２受付部が前記第２操作を受け付ける前は、前記第３受付部は前記第６光学状態である、構成１５記載の制御装置。
（構成１７）  
前記第２モードにおいて前記第１受付部が別の第１操作を受け付けると、前記制御装置は前記第１モードに移行し、前記動作条件の前記設定が前記対象装置の動作に反映される、構成１〜１６のいずれか１つに記載の制御装置。
（構成１８）  
前記第１モードから前記第２モードへの移行時、前記第２動作状態から前記第３動作状態への移行時、及び、電源のＯＮ時の少なくともいずれかにおいて、前記第２受付部はキャリブレーションされる、構成１〜１７のいずれか１つに記載の制御装置。
（構成１９）  
第１受付部及び第２受付部を備え、対象装置を制御可能な制御装置であって、
前記第１受付部が第１操作を受け付ける前の第１動作状態のときに前記制御装置は第１モードであり、前記第１受付部が前記第１操作を受け付けると前記制御装置は第２モードに移行し、
前記第２受付部は、前記第１動作状態において、第１光学状態であり、
前記第２モード中に前記第２受付部が第２操作を受け付ける前の第２動作状態において、前記第２受付部は、第２光学状態であり、
前記第２モード中に前記第２受付部が前記第２操作を受け付けた第３動作状態において、前記第２受付部は第３光学状態であり、
前記第２光学状態は、前記第１光学状態とは異なり、
前記第３光学状態は、前記第１光学状態とは異なり、前記第２光学状態とは異なる、制御装置。
（構成２０）  
前記第２光学状態及び前記第３光学状態の一方は、点滅であり、
前記第２光学状態及び前記第３光学状態の他方は、前記第１光学状態の第１明るさよりも明るい第２明るさ、及び、前記第１光学状態の第１色とは異なる第２色の少なくともいずれかを有する、構成１９記載の制御装置。
（構成２１）  
前記第２受付部は、第１電極、第２電極及び発光素子を含み、
前記第２操作は、前記第１電極及び前記第２電極により受け付けられ、
前記第１〜第３明るさは前記発光素子から放出される光量により変更される、構成１〜２０のいずれか１つに記載の制御装置。
（構成２２）  
前記発光素子の少なくとも一部は、前記第１電極と前記第２電極との間に設けられた、構成２１記載の制御装置。
（構成２３）  
前記第２操作は、前記第１電極及び前記第２電極の静電容量の変化に基づく、構成２１または２２に記載の制御装置。
（構成２４）  
板部をさらに含み、
前記板部は、前記第２受付部と重なる部分を含み、
前記部分の第１領域の光透過率は、前記部分の第２領域の光透過率とは異なる、構成２１〜２３のいずれか１つに記載の制御装置。
（構成２５）  
前記第１領域及び前記第２領域の少なくともいずれかは、前記動作条件に関する情報を含む、構成２４記載の制御装置。
（構成２６）  
前記第１操作を受け付けたときに前記第１受付部は変形し、
前記第２操作を受け付けたときに前記第２受付部は変形しない、または、前記第２操作を受け付けたときの前記第２受付部の変形は、前記第１操作を受け付けたときの前記第１受付部の変形よりも小さい、構成１〜２５のいずれか１つに記載の制御装置。
（構成２７）  
構成１〜２６のいずれか１つに記載の制御装置と、
前記対象装置と、
を備えた電動家具。
（構成２８）
前記対象装置は、エアマットレスまたは排泄センサを含む、構成２７記載の電動家具。
【０２１３】
実施形態によれば、より使い易くできる制御装置及び電動家具が提供できる。
【０２１４】
以上、具体例を参照しつつ、本発明の実施の形態について説明した。しかし、本発明は、これらの具体例に限定されるものではない。例えば、電動家具に含まれるセンサ、処理部、処理回路、可動部、ボトム及びマットレスなどの各要素の具体的な構成に関しては、当業者が公知の範囲から適宜選択することにより本発明を同様に実施し、同様の効果を得ることができる限り、本発明の範囲に包含される。
【０２１５】
各具体例のいずれか２つ以上の要素を技術的に可能な範囲で組み合わせたものも、本発明の要旨を包含する限り本発明の範囲に含まれる。
【０２１６】
その他、本発明の実施形態として上述した制御装置及び電動家具を基にして、当業者が適宜設計変更して実施し得る全ての制御装置及び電動家具も、本発明の要旨を包含する限り、本発明の範囲に属する。
【０２１７】
その他、本発明の思想の範疇において、当業者であれば、各種の変更例及び修正例に想到し得るものであり、それら変更例及び修正例についても本発明の範囲に属するものと了解される。
【符号の説明】
【０２１８】
１０ａ、１０ｂ…第１、第２面、  １５…ケーブル、  ２１ａ〜２１ｊ…第１〜第１０操作表示部、  ２１ｄＤ〜２１ｆＤ…表示部、  ２８…表示部、  ３０ｓ…基板、  ３１…第１電極、  ３１ａ〜３１ｊ…第１〜第１０操作表示部、  ３１ａＡ、３１ｂＡ、３１ｃＡ、３１ｄＡ、３１ｅＡ、３１ｆＡ、３１ｇＡ、３１ｈＡ、３１ｉＡ…操作、  ３１ｉＤ…表示部、  ３２…第２電極、  ３３…発光素子、  ３５…スペーサ、  ３６…検出回路、  ３７…制御回路、  ３８…板部、  ３８Ｌ…第１層、  ３８Ｐ…板、  ４０Ｄ…排気口、  ４１、４２…第１、第２チューブ、  ４１ａ、４２ａ…第１、第２開口部、  ４３…制御部、  ４５…センサ、  ４６ａ、４６ｂ…第１、第２ポンプ、  ４７…シート部、  ４８…臭いセンサ、  ５０Ｂ…裏側ボタン、  ５０ＢＡ…操作、  ５１〜５６…第１〜第６受付部、  ５１Ａ…操作、  ６５…一時停止ボタン、  ６５Ａ…操作、  ６８…特定動作ボタン、  ７１…ボトム、  ７５…フレーム、  ７６…マットレス、  ７６ａ…エアマットレス部、  ７６ｂ…エアセル、  ７６ｃ…ポンプユニット、  ７６ｏ…対象装置、  ７６ｓ…シート、  １１０、１２０…制御装置、  ３１０、３２０…電動家具、  ＣＳ…制御信号、  ＨＯＮ…半ＯＮ状態、  Ｍ１、Ｍ２…第１、第２モード、  Ｒ１〜Ｒ７…第１〜第７動作状態、  Ｓ０１〜Ｓ１９、Ｓ３１〜Ｓ３６…状態、  ＳｉｇＥ…エラー信号、  ＳｉｇＦ…フィルタ交換信号、  ＳｉｇＮ…通知信号、  Ｔ１〜Ｔ１０…第１〜第１０光学状態、  ｈ１、ｈ２…第１、第２孔、  ｒ１、ｒ２…第１、第２領域、  ｔ１、ｔｍ…時間
【図１】
2019181067.tif 000003
【図２】
2019181067.tif 000004
【図３】
2019181067.tif 000005
【図４】
2019181067.tif 000006
【図５】
2019181067.tif 000007
【図６】
2019181067.tif 000008
【図７】
2019181067.tif 000009
【図８】
2019181067.tif 000010
【図９】
2019181067.tif 000011
【図１０】
2019181067.tif 000012
【図１１】
2019181067.tif 000013
【図１２】
2019181067.tif 000014
【図１３】
2019181067.tif 000015
【図１４】
2019181067.tif 000016
【図１５】
2019181067.tif 000017
【図１６】
2019181067.tif 000018
【図１７】
2019181067.tif 000019
【図１８】
2019181067.tif 000020
【図１９】
2019181067.tif 000021
【図２０】
2019181067.tif 000022
【図２１】
2019181067.tif 000023